(57)【要約】      （修正有）【課題】基板ボックスを備えた遊技機において、制御基板に関する不正行為をより確実に把握することのできる遊技機を提供する。【解決手段】パチンコ機に搭載される基板ボックス２６３は、主制御装置を収容するボックスベース２６３ａとボックスベースの開口部を覆うボックスカバー２６３ｂとを連結して制御基板を封印する第１封印手段と、第１封印手段による封印状態が解除された後、再度、ボックスベースとボックスカバーとを連結して制御基板を封印するための第２封印手段とを備えている。第１封印手段は、ボックスベースに設けられたベース側連結部４０３と、ベース側連結部と連結されるカバー側連結部とを備え、ベース側連結部及びカバー側連結部のうち予め定められた一方を対応するボックスベース又はボックスカバーから除去することで、第１封印手段による封印状態を解除可能、かつ、第２封印手段によって基板ボックスを封印可能となっている。【選択図】図７
2010017232.tif 000002
【特許請求の範囲】
【請求項１】
各種制御手段を具備する制御基板を収容するボックスベースと、
前記ボックスベースの開口部を覆うボックスカバーと、
前記ボックスベースと前記ボックスカバーとを連結し、前記基板ボックスに収容された制御基板を封印する第１封印手段と、
前記第１封印手段による封印状態が解除された後、再度、前記ボックスベースと前記ボックスカバーとを連結し、前記基板ボックスに収容された制御基板を封印するための第２封印手段とを具備する基板ボックスを備え、
前記第１封印手段は、前記ボックスベースに設けられたベース側連結部と、前記ボックスカバーに設けられ、前記ベース側連結部と連結されるカバー側連結部とを備え、前記ベース側連結部及び前記カバー側連結部のうち予め定められた一方を対応する前記ボックスベース又は前記ボックスカバーから除去し、他方を対応する前記ボックスベース又は前記ボックスカバーに残すことで、或いは、前記ベース側連結部及び前記カバー側連結部の両方を前記ボックスベース又は前記ボックスカバーから除去することで、前記第１封印手段による封印状態を解除可能、かつ、前記第２封印手段によって前記基板ボックスを封印可能となることを特徴とする遊技機。
【請求項２】
前記第２封印手段は、前記ボックスベース及び前記ボックスカバーのうち一方側に設けられた係合部と、他方側に設けられ、前記係合部と係合可能な被係合部とを備え、前記係合部及び前記被係合部のうち少なくとも一方を、対応する前記ボックスベース又は前記ボックスカバーから除去することで、前記第２封印手段による封印状態を解除可能な構成であり、
前記基板ボックスが前記第１封印手段により封印された状態にあるときには、前記係合部及び前記被係合部は係合不可能な相対位置にあり、
前記ベース側連結部及び前記カバー側連結部のうち予め定められた一方又は両方が前記ボックスベース又は前記ボックスカバーから除去されることで前記第１封印手段による封印状態が解除された場合には、前記第１封印手段による封印状態にあるときとは異なる相対位置で前記ボックスベースと前記ボックスカバーとを組付けることにより、前記係合部及び前記被係合部が係合状態とされることを特徴とする請求項１に記載の遊技機。
【発明の詳細な説明】
【技術分野】
【０００１】
本発明は、パチンコ機等の遊技機に関するものである。
【背景技術】
【０００２】
遊技機の一種として、パチンコ遊技機やスロットマシン等が知られている。これらの遊技機は、ＣＰＵ（中央処理装置）や、遊技に関わる制御プログラムが記憶されたＲＯＭ等の電子部品（制御手段）が実装された制御基板を備えており、当該制御基板に設けられた各制御手段によって一連の遊技が制御されている。
【０００３】
この種の遊技機においては、不正な利益を得ることを目的として、制御基板を不正に取り外して当該基板のＲＯＭ（ＣＰＵやＲＯＭが１チップ化されている場合は当該チップ） を交換し遊技内容を変更したり、リード線等により外部から不正な電気信号を制御基板に入力させたりする等、制御手段や制御基板に対しての不正行為が数多く報告されており、各種の不正対策が検討されている。例えば、基板ボックスに封印構造（いわゆる、カシメ構造）を持たせて、基板ボックスの開封時には破壊等による開封履歴（開封の痕跡）を残すようにする等の不正対策が採用されている（例えば特許文献１参照）。
【０００４】
一般的に、封印構造を備える基板ボックスは、制御基板を収容するボックスベースと、ボックスベースの開口部を閉塞するボックスカバーと、ボックスベースに設けられたベース側連結部と、ボックスカバーに設けられたカバー側連結部とを備えている。そして、ボックスベースとボックスカバーとを組付けると、ベース側連結部に形成された係止凹部とカバー側連結部に形成された係止孔とが位置合わせされ、係止孔及び係止凹部に対して、ピンやねじ等により構成されるカシメ部材を差込む（圧入する、螺着する）ことで、ボックスベースとボックスカバーとが連結される構成となっている。
【０００５】
さらに、係止孔及び係止凹部に差込まれたカシメ部材は、ベース側連結部及びカバー側連結部のうち少なくとも一方側を破壊（除去）しない限り取外し不可能に構成されている。つまり、基板ボックスを開封する際には、基板ボックスに対して所定の痕跡が形成されることから、不正開封された場合には、早期に且つ容易に発見することができる。
【特許文献１】特開２００３−１８０９１７号公報
【発明の開示】
【発明が解決しようとする課題】
【０００６】
しかしながら、上記の構成を有する基板ボックスを２つ用意し、そのうちの一方の基板ボックスに関しては、カバー側連結部を破壊することで当該基板ボックスを開封し、他方の基板ボックスに関しては、ベース側連結部を破壊することで当該基板ボックスを開封した場合、それぞれ無傷の（開封に起因する痕跡のない）ボックスベース及びボックスカバーを得ることができてしまう。従って、上記のようにして得たボックスベース及びボックスカバーに不正な制御基板（例えば、ＲＯＭが取替えられた制御基板）を収容し、基板ボックスごと交換するといった不正行為が行われた場合には、外観上、制御基板が取り替えられたことが分からなくなるため、当該不正行為の発見が非常に困難になってしまうおそれがある。
【０００７】
なお、上記課題は、パチンコ機に限らず、同様の基板ボックス構造を有する他の遊技機にも該当する問題である。
【０００８】
本発明は、上記例示した問題点等を解決するためになされたものであり、その目的は、基板ボックスを備えた遊技機において、制御基板に関する不正行為をより確実に把握することのできる遊技機を提供することにある。
【課題を解決するための手段】
【０００９】
請求項１に記載の遊技機は、
各種制御手段を具備する制御基板を収容するボックスベースと、
前記ボックスベースの開口部を覆うボックスカバーと、
前記ボックスベースと前記ボックスカバーとを連結し、前記基板ボックスに収容された制御基板を封印する第１封印手段と、
前記第１封印手段による封印状態が解除された後、再度、前記ボックスベースと前記ボックスカバーとを連結し、前記基板ボックスに収容された制御基板を封印するための第２封印手段とを具備する基板ボックスを備え、
前記第１封印手段は、前記ボックスベースに設けられたベース側連結部と、前記ボックスカバーに設けられ、前記ベース側連結部と連結されるカバー側連結部とを備え、前記ベース側連結部及び前記カバー側連結部のうち予め定められた一方を対応する前記ボックスベース又は前記ボックスカバーから除去し、他方を対応する前記ボックスベース又は前記ボックスカバーに残すことで、或いは、前記ベース側連結部及び前記カバー側連結部の両方を前記ボックスベース又は前記ボックスカバーから除去することで、前記第１封印手段による封印状態を解除可能、かつ、前記第２封印手段によって前記基板ボックスを封印可能となることを特徴としている。
【発明の効果】
【００１０】
請求項１によれば、基板ボックスに収容された制御基板に関する不正行為を確実に把握することができる。
【発明を実施するための最良の形態】
【００１１】
以下、パチンコ遊技機（以下、単に「パチンコ機」という）の一実施形態を、図面に基づいて詳細に説明する。ここで、図１はパチンコ機１０の正面図であり、図２は斜視図であり、図３は内枠１２及び前面枠セット１４を開放した状態を示す斜視図である。図４は内枠１２及び遊技盤３０等の構成を示す正面図である。図５はパチンコ機１０の背面図であり、図６は内枠１２及び裏パックユニット２０３等を開放した状態を示す斜視図である。但し、図３では便宜上、遊技盤３０面上に配設される釘や役物、前面枠セット１４に取付けられるガラスユニット１３７等を省略して示している。
【００１２】
図３等に示すように、パチンコ機１０は、当該パチンコ機１０の外郭を構成する外枠１１を備えており、この外枠１１の一側部に内枠１２が開閉可能に支持されている。
【００１３】
外枠１１は、図６等に示すように、上辺枠構成部１１ａ及び下辺枠構成部１１ｂが木製の板材により構成され、左辺枠構成部１１ｃ及び右辺枠構成部１１ｄがアルミニウム合金製の押出成形材により構成され、これら各枠構成部１１ａ〜１１ｄがネジ等の離脱可能な締結具により全体として矩形枠状に組み付けられている。
【００１４】
左辺枠構成部１１ｃの上下端部には、それぞれ上ヒンジ８１及び下ヒンジ８２が取着されている（図１参照）。当該上ヒンジ８１及び下ヒンジ８２にて、内枠１２の上下部が回動可能に支持されており、これにより内枠１２が開閉可能となる。そして、外枠１１の内側に形成される空間部に内枠１２等が収容される。
【００１５】
また、右辺枠構成部１１ｄには、その幅方向後端部近傍から外枠１１内側へ向け突出した延出壁部８３が形成されている。延出壁部８３は、内枠１２の右側部背面側に設けられる施錠装置６００（図６参照）に対応する上下区間全域を内枠１２の背面側から覆っている（図５参照）。加えて、図３に示すように、延出壁部８３の前面側には、施錠装置６００の係止部材が係止される上下一対の受部８４，８５が設けられている。また、下側の受部８５には、後述する内枠開放検知スイッチ９２に当接する押圧部８６が、外枠１１内側に向けて突設されている。
【００１６】
さらに、下辺枠構成部１１ｂには樹脂製の幕板飾り８７が取着されている。幕板飾り８７の上面奥部には、上方に突出するリブ８８が一体形成されている。これにより内枠１２との間に隙間が形成されにくくなっている。
【００１７】
図３に示すように、内枠１２の開閉軸線は、パチンコ機１０の正面からみて左側において上下に沿って設定されており、この開閉軸線を軸心として内枠１２が前方側に開放できるようになっている。内枠１２は、外形が矩形状をなす樹脂ベース３８を主体に構成されており、当該樹脂ベース３８の中央部には略楕円形状の窓孔３９が形成されている。
【００１８】
また、内枠１２の前面側には前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００１９】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００２０】
図１に示すように、前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。加えて、下皿１５の左部には、ＬＥＤが内蔵された演出ボタン１２５が設けられており、演出ボタン１２５を押圧操作することで、後述する装飾図柄表示装置４２等において対応する演出が行われたり、演出内容が変更されたりする。
【００２１】
下皿１５の右方には、手前側に突出した遊技球発射ハンドル（以下、単にハンドルという）１８が設けられている。尚、ハンドル１８には、図示しないタッチセンサや、ハンドル１８の操作部の操作量を検出するための図示しない操作量検出手段が設けられている。
【００２２】
下皿１５の上方には上皿１９が設けられている。上皿１９は、遊技球を一旦貯留し、一列に整列させながら後述する発射手段としての遊技球発射装置（以下、単に発射装置という）６０の方へ案内する球受皿である。なお、上皿１９が遊技球で一杯になった状態では、払出される遊技球は下皿１５へと案内される。
【００２３】
上皿１９には球貸しボタン１２１と返却ボタン１２２とが設けられている。これにより、遊技ホール等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００２４】
さらに、上皿１９には、球抜きボタン１２３が設けられている。球抜きボタン１２３が押圧操作されることで、上皿１９の球案内路の下流側に設けられ、下皿１５に連通する連通孔（図示略）が開口し、上皿１９に貯留されていた遊技球が下皿１５へと案内される（落下する）。つまり、遊技者は、球抜きボタン１２３を操作することで、上皿１９にある遊技球をいつでも下皿１５に移すことができる。
【００２５】
また、前面枠セット１４の前面にはその周囲に各種ランプ等の発光手段が設けられている。これら発光手段は、大当たり時や所定のリーチ時等における遊技状態の変化に応じて点灯、点滅といった発光態様が変更制御され遊技中の演出効果を高める役割を果たすものである。例えば、窓部１０１の周縁には、ＬＥＤ等の発光手段を内蔵した環状電飾部１０２が設けられている。また、該環状電飾部１０２の両側部には、所定のエラー時に点灯するエラー表示ランプ１０４が設けられている。尚、環状電飾部１０２のうち各エラー表示ランプ１０４の上方部位には、前面枠セット１４の背面に設けられるスピーカＳＰ（図３参照）に対応して細かな透孔が多数形成されている。
【００２６】
前面枠セット１４の背面側にはガラスユニット１３７が取付けられている。ガラスユニット１３７は、従来の前後一対の矩形状の板ガラスが前後対をなして別々に取着されるものではなく、全体として丸形をなし、アッセンブリ化された上で取付けられている。
【００２７】
次に、内枠１２（樹脂ベース３８）について図４を参照して説明する。上述した通り、内枠１２（樹脂ベース３８）には、窓孔３９の後側において遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００２８】
また、内枠１２（樹脂ベース３８）の前面下部、すなわち窓孔３９（遊技盤３０）の下方位置には、発射装置６０及び当該発射装置６０より発射された直後の遊技球を案内する発射レール６１が取付けられている。本実施形態では、発射装置６０としてソレノイド式発射装置を採用している。また、発射装置６０の上方には、上皿１９から案内される遊技球を、内蔵された駆動手段（例えばソレノイド）の駆動により、１球ずつ発射装置６０の発射位置へと案内する球送り装置６３が設けられている。
【００２９】
次に、遊技盤３０の構成について図４を参照して説明する。遊技盤３０には、一般入賞口３１、可変入賞装置３２、第１契機対応ユニット（作動口）３３、第２契機対応口３４、可変表示装置ユニット３５等がルータ加工によって形成された貫通孔に配設され、遊技盤３０前面側から木ネジ等により取付けられている。周知の通り一般入賞口３１、可変入賞装置３２、第１契機対応ユニット３３などの各種入賞口に遊技球が入球（入賞）すると、後述する各種検出スイッチにより検出され、上皿１９（又は下皿１５）へ所定数の賞球が払い出される。その他に、遊技盤３０にはアウト口３６が設けられており、一般入賞口３１等の各種入賞口に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００３０】
第１契機対応ユニット３３は、上入賞口３３ａ及び下入賞口３３ｂを備えるとともに、下入賞口３３ｂに対応して一対の開閉部材３３ｃを備えている。これにより、上入賞口３３ａが遊技球が常時入球可能な開状態となっているのに対し、下入賞口３３ｂは、開閉部材３３ｃが所定条件の成立に応じて開閉動作することにより、遊技球が入球不能な閉状態と、遊技球が入球可能な開状態とに切換わる。例えば、下入賞口３３ｂは、通常モード時には開閉部材３３ｃが開状態となり規定時間（例えば０．２秒）の経過した場合又は規定個数（例えば１個）の遊技球の入球があった場合に閉状態となる。この開閉処理は、通常モード時においては１回だけ行われる。また、上記構成に代えて、下入賞口３３ｂが、遊技球が入球困難な閉状態と、遊技球が前記閉状態より入球容易な開状態とに切換わる構成としてもよい。
【００３１】
可変表示装置ユニット３５には、第２契機対応口３４の通過をトリガとして変動表示する普通図柄表示装置４１と、第１契機対応ユニット３３（上入賞口３３ａ又は下入賞口３３ｂ）への入賞をトリガとして変動表示する特別表示装置４３と、特別表示装置４３による変動表示に合わせて変動表示する装飾図柄表示装置４２とが設けられている。
【００３２】
普通図柄表示装置４１は、普通図柄として「○」又は「×」を点灯表示可能に構成されており、遊技球が第２契機対応口３４を通過する毎に例えば普通図柄を「○」→「×」→「○」→・・・という具合に高速で切換表示（変動表示）する。そして、その変動表示が「○」図柄（当選図柄）で数秒間停止した場合には、第１契機対応ユニット３３が所定時間だけ作動状態となる。この普通図柄表示装置４１は、後述する主制御装置２６１によって直接的に表示内容が制御される。
【００３３】
また、普通図柄表示装置４１の変動表示中に、新たに遊技球が第２契機対応口３４を通過した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００３４】
特別表示装置４３は、普通図柄表示装置４１の右側方に設けられ、赤、緑、青の発光色を有する三色発光ダイオード（三色ＬＥＤ）により構成されている。そして、遊技球が第１契機対応ユニット３３に入賞する毎に色換え表示（変動表示）が行われ、変動表示が停止したときの点灯態様（点灯色）により、大当たりか否かが確定的に表示される。
【００３５】
より詳しくは、第１契機対応ユニット３３に対し遊技球が入賞すると、特別表示装置４３は、３色ＬＥＤを赤→緑→青→赤→・・・という具合に高速で色換え表示（変動表示）し、所定時間が経過すると、いずれかの色に決定表示する。高速の色換え表示とは、例えば４ｍｓｅｃ毎に赤、緑、青を順番に表示するという具合である。大当たり抽選に当選した場合には、この際、赤又は緑で決定表示（例えば数秒間停止）され、特別遊技状態が発生する。特に、赤は、大当たり終了後の遊技モードが高確率モードであることを示す表示であり、緑は、大当たり終了後の遊技モードが時間短縮モードであることを示す表示である。なお、この特別表示装置４３についても、主制御装置２６１によって表示内容が直接的に制御される。
【００３６】
また、特別表示装置４３の変動表示中に新たに遊技球が第１契機対応ユニット３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応ユニット３３に入賞した場合、その分の変動表示についても保留される。
【００３７】
装飾図柄表示装置４２は液晶表示装置として構成されており、後述するサブ制御装置２６２及び表示制御装置４５によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００３８】
可変入賞装置３２は、通常は遊技球が入賞できない閉状態になっており、大当たり（特別遊技状態の発生）の際に、遊技球が入賞可能な開状態とされる。具体的には、規定時間（例えば２９秒）の経過又は規定個数（例えば１０個）の入賞を１ラウンド（特賞状態）として、可変入賞装置３２の大入賞口が所定回数（所定ラウンド数）繰り返し開放される。
【００３９】
また、遊技盤３０には、内レール構成部５１と外レール構成部５２とからなり、発射装置６０から発射された遊技球を遊技盤３０上部へ案内するレール５０が取付けられている。これにより、ハンドル１８の回動操作に伴い発射された遊技球は発射レール６１及びレール５０を通じて、遊技盤３０とガラスユニット１３７との間に形成される遊技領域内に案内される。
【００４０】
内レール構成部５１の先端部分（図４の左上部）には戻り球防止部材５３が取着されている。これにより、一旦、レール５０から遊技領域へと案内された遊技球が再度レール５０内に戻ってしまうといった事態が防止される。
【００４１】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００４２】
図３に示すように、前面枠セット１４の背面側には、窓部１０１の下方において、球通路ユニット７０が設けられている。球通路ユニット７０は、後述する払出機構部３５２から下皿１５の排出口１６へ繋がる下皿連通路７１と、払出機構部３５２から上皿１９へ繋がる上皿連通路７３と備えている。また、内枠１２に設けられた発射レール６１とレールユニット５０（外レール構成部５２）との間には所定間隔の隙間があり、球通路ユニット７０には、前記隙間より落下した遊技球を下皿１５へと案内するファール球通路７２が形成されている。これにより、仮に、発射装置６０から発射された遊技球が戻り球防止部材５３まで至らずファール球としてレール５０を逆戻りする場合には、そのファール球がファール球通路７２を介して下皿１５に排出される。
【００４３】
また、図３及び図４中の符号６７は後述する払出機構部３５２により払出された遊技球を内枠１２の前方に案内するための払出通路であり、上皿連通路７３（上皿１９）に通じる通路と、下皿連通路７１（下皿１５）に通じる通路とに分かれている。払出通路６７の下方にはシャッタ６８が設けられており、前面枠セット１４を開放した状態では、バネ等の付勢力によりシャッタ６８が前方に突出して払出通路６７の出口をほぼ閉鎖するようになっている。また、前面枠セット１４を閉じた状態では、下皿連通路７１の入口側後端部によってシャッタ６８が押し開けられるようになっている。尚、下皿連通路７１及び上皿連通路７３の入口（球流入部）が隣接するとともに、前面枠セット１４の閉状態において当該各入口と払出通路６７とが所定距離だけ離間しており、両者間の隙間を遊技球が通過可能となっている。このため、上皿１９及び上皿連通路７３が遊技球で満杯となると、払出される遊技球が下皿連通路７１側に流れ（下皿連通路７１の入口側に溢れ）、下皿連通路７１を通って下皿１５に払出されることとなる。
【００４４】
加えて、球通路ユニット７０には、下皿連通路７１内に位置する遊技球を検知する満杯検知スイッチ（図示略）が設けられている。当該満杯検知スイッチの存在により、下皿１５が遊技球で満杯になっていること（下皿１５が遊技球で満杯となり、下皿連通路７１において遊技球が滞留していること）を把握することができる。本実施形態では、満杯検知スイッチによって所定時間継続して遊技球が検知されることに基づき、発射装置６０の打出しを禁止するといった制御が行われる。尚、下皿連通路７１における遊技球の滞留が解消され、満杯検知スイッチにより遊技球が検知されなくなると（所定時間継続して検知されなくなると）発射装置６０の打出しが許容される。
【００４５】
次に、パチンコ機１０の背面構成について図５、図６等を参照して説明する。パチンコ機１０の背面には、各種制御基板が上下左右に並べられるようにして、一部前後に重ねられるようにして配置されており、さらに、遊技球を供給する遊技球供給装置（払出機構）や樹脂製の保護カバー等が取り付けられている。払出機構及び保護カバーは１ユニットとして一体化されており、一般に樹脂部分を裏パックと称することもあるため、ここではそのユニットを「裏パックユニット２０３」と称する。
【００４６】
まず、遊技盤３０の背面構成について説明する。図６に示すように、遊技盤３０中央の貫通孔に対応して配設された可変表示装置ユニット３５（図４参照）の背面側には、センターフレーム４７を背後から覆う樹脂製のフレームカバー２１３が後方に突出して設けられている。また、フレームカバー２１３の背面側には、フレームカバー２１３の開口部から前方に臨む液晶表示装置たる装飾図柄表示装置４２、表示制御装置４５及びサブ制御装置２６２が前後に重ねられた状態で着脱可能に取り付けられている。
【００４７】
装飾図柄表示装置４２は、当該装飾図柄表示装置４２の表示部（液晶画面）をパチンコ機１０の前面側に露出させるための開口部が形成された収容ボックス４２ａに収容されてフレームカバー２１３の背面側に固定されている。表示制御装置４５は基板ボックス４５ａに収容されて装飾図柄表示装置４２（収容ボックス４２ａ）の背面側に固定されている。サブ制御装置２６２は基板ボックス２６２ａに収容されて表示制御装置４５（基板ボックス４５ａ）の背面側に固定されている。尚、フレームカバー２１３内には、センターフレーム４７に内蔵されたＬＥＤ等を駆動するＬＥＤ制御基板等が配設されている。また、収容ボックス４２ａ及び基板ボックス４５ａ，２６２ａは透明樹脂材料等により構成され、内部が視認可能となっている。
【００４８】
フレームカバー２１３の下方には裏枠セット２１５が、一般入賞口３１、可変入賞装置３２及び第１契機対応ユニット３３等を背後から覆うようにして遊技盤３０に取付けられている。裏枠セット２１５は、各種入賞口に入賞した遊技球を回収するための球回収機構を備えている（図示略）。この球回収機構により回収された遊技球は、後述する排出通路部２１７に案内され、排出通路部２１７の排出シュートからパチンコ機１０外部に排出される。
【００４９】
主制御装置２６１は透明樹脂材料等よりなる基板ボックス２６３に収容されている。基板ボックス２６３は、ボックスベースと該ボックスベースの開口部を覆うボックスカバーとを備え、これらボックスベースとボックスカバーとが封印手段によって連結されている。封印手段によって連結された基板ボックス２６３は、所定の痕跡を残さなければ開封できない構成となっている。これにより、基板ボックス２６３が不正に開封された旨を容易に発見することができる。尚、基板ボックス２６３の詳細については後述する。
【００５０】
また、本実施形態では、裏枠セット２１５が主制御装置２６１の取付台として機能し、主制御装置２６１を搭載した基板ボックス２６３が、裏枠セット２１５に対し回動可能に軸支され、後方に開放可能となっている。より詳しくは、裏枠セット２１５の右部（図６では左側）には基板ボックス２６３を軸支するための接続金具２８１が固定されている。これに対し、基板ボックス２６３（ボックスベース）の前面側には、接続金具２８１と接続されるベース部材２６４（図６参照）が取付けられている。そして、接続金具２８１とベース部材２６４とが接続されることで、基板ボックス２６３が裏枠セット２１５の右側部に軸支され、上下方向に沿って延びる開閉軸線を軸心として後方に開放可能となっている。また、裏枠セット２１５の背面には、裏枠セット２１５と基板ボックス２６３との間の隙間を埋める透明樹脂製のスペーサー２８２が設けられている。
【００５１】
また、遊技盤３０には、入球手段としての一般入賞口３１等の各種入賞口に対応して、当該各種入賞口へ入球した遊技球を検出する入球検出スイッチ（入球検出手段）が設けられている。具体的には、図４に示すように、一般入賞口３１に対応する位置には入賞口スイッチ２２１が設けられ、可変入賞装置３２にはカウントスイッチ２２３が設けられている。また、第１契機対応ユニット３３には、上入賞口３３ａ及び下入賞口３３ｂそれぞれに対応して第１契機対応ユニットスイッチ２２４ａ，２２４ｂが設けられている。さらに、第２契機対応口３４に対応する位置には第２契機対応口スイッチ２２５が設けられている。
【００５２】
また、図示は省略するが、裏枠セット２１５には、入賞口スイッチ２２１、カウントスイッチ２２３、第２契機対応口スイッチ２２５、主制御装置２６１との電気的な接続を中継する第１盤面中継基板（図示略）、遊技盤３０の下部に設けられる電飾部材のＬＥＤ基板とサブ制御基板２６２との電気的な接続を中継する電飾中継基板（図示略）、及び、第１契機対応ユニット３３の周縁部に配置され、前記電飾中継基板に接続されるＬＥＤ基板が設けられている。この第１盤面中継基板は、入賞口スイッチ２２１等と、制御手段としての主制御装置２６１とを中継するものであり、ケーブルコネクタを介して主制御装置２６１と電気的に接続されている。
【００５３】
これに対し、第１契機対応ユニット３３（上入賞口３３ａ又は下入賞口３３ｂ）への入球を検出する第１契機対応スイッチ２２４ａ，２２４ｂは中継基板を経ることなくコネクタケーブルを介して直接主制御装置２６１に接続されている。
【００５４】
各種入球検出スイッチにて各々検出された検出結果は、主制御装置２６１に取り込まれる。そして、該主制御装置２６１よりその都度の入賞状況に応じた払出指令（遊技球の払出個数）が払出制御装置３１１に送信され、該払出制御装置３１１からの出力信号に基づき所定数の遊技球の払出しが実施される（第２契機対応口スイッチ２２５により検出された場合を除く。）
この他、遊技盤３０の裏面には、図示は省略するが、可変入賞装置３２にて大入賞口を開放する大入賞口用ソレノイドが設けられ、第１契機対応ユニット３３にて一対の開閉部材３３ｃを開閉駆動する下入賞口用ソレノイドが設けられている。また、裏枠セット２１５には、これらソレノイドと主制御装置２６１とを中継する第２盤面中継基板（図示略）も設けられている。尚、裏枠セット２１５に搭載される検知スイッチ等は背面側から着脱可能となっており（第１盤面中継基板は取外し不可としてもよい）、裏枠セット２１５を遊技盤３０から取外さなくてもかかる検知スイッチ等のメンテナンスや交換等を行うことができる。
【００５５】
次に、裏パックユニット２０３の構成を説明する。図５に示すように、裏パックユニット２０３は、樹脂成形された裏パック３５１と、遊技球の払出機構部３５２とを一体化したものである。また、裏パックユニット２０３は、内枠１２の左側部（図５では右側）に対して開閉可能に支持されており、上下方向に沿って延びる開閉軸線を軸心として後方に開放できるようになっている。加えて、裏パックユニット２０３の左上部（図５では右上部）には外部中継端子板２４０が設けられている。
【００５６】
外部中継端子板２４０は、遊技ホールのホールコンピュータなどへの各種情報送信を中継するためのものであり、複数の外部接続端子が設けられている。便宜上、符号は付さないが、例えば現在の遊技状態（大当たり状態や高確率状態等）に関する情報を出力するための端子、後述する開放検知スイッチ９１，９２によって検出される前面枠セット１４や内枠１２の開放に関する情報を出力するための端子、入球エラー、下皿満タンエラー、タンク球無しエラー、払出しエラーなど各種エラー状態に関する情報を出力するための端子、払出制御装置３１１から払出される賞球数に関する情報を出力するための端子などが設けられている。
【００５７】
裏パック３５１は例えばＡＢＳ樹脂により一体成形されており、パチンコ機１０の後方に突出して略直方体形状をなす保護カバー部３５４を備えている。保護カバー部３５４は左右側面及び上面が閉塞され且つ下面のみが開放された形状をなし、少なくともフレームカバー２１３を覆うのに十分な大きさを有する。但し、本実施形態では、保護カバー部３５４が基板ボックス２６３の上部及び右部（図５では左側の部位）も合わせて覆う構成となっている。これにより、裏パックユニット２０３の閉鎖状態において、主制御装置２６１の上縁部に沿って設けられた端子部（受側コネクタ）が覆われることとなる。
【００５８】
払出機構部３５２は、保護カバー部３５４を迂回するようにして配設されている。すなわち、保護カバー部３５４の上方には、上側に開口したタンク３５５が設けられており、このタンク３５５には遊技ホールの島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払出された遊技球は上皿１９等に供給される。
【００５９】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００６０】
裏パックユニット２０３（基板ボックス２６３）の下方には、内枠１２の左側部（図５では右側）にて軸支され、後方に開放可能な下枠セット２５１が設けられている。図６に示すように、下枠セット２５１には、上述した球回収機構により回収された遊技球が流入する排出通路部２１７が形成され、排出通路部２１７の最下流部には、遊技球をパチンコ機１０外部へ排出する排出シュート（図示略）が形成されている。つまり、一般入賞口３１等の各入賞口に入賞した遊技球は、裏枠セット２１５の球回収機構を介して集合し、さらに排出通路部２１７の排出シュートを通じてパチンコ機１０外部に排出される。なお、アウト口３６も同様に排出通路部２１７に通じており、何れの入賞口にも入賞しなかった遊技球も排出シュートを介してパチンコ機１０外部に排出される。尚、本実施形態では、裏パックユニット２０３と下枠セット２５１とが別体として構成され、それぞれ独立して開閉可能であるが、裏パックユニット２０３と下枠セット２５１とが一体的に形成されることとしてもよい。
【００６１】
また、図５に示すように、下枠セット２５１の背面側には、払出制御装置３１１、発射制御装置３１２、電源装置３１３及びカードユニット接続基板３１４が前後に重ねられた状態で着脱可能に取り付けられている。
【００６２】
発射制御装置３１２及び電源装置３１３は基板ボックス３１３ａに収容されて下枠セット２５１の背面側に固定されている。尚、発射制御装置３１２及び電源装置３１３は、便宜上それぞれ独立した制御装置として説明するが、実際には１つの基板（プリント基板）により構成される。
【００６３】
また、払出制御装置３１１は、基板ボックス３１１ａに収容されて、基板ボックス３１３ａ（発射制御装置３１２及び電源装置３１３）の背面側に固定されている。尚、払出制御装置３１１が収容される基板ボックス３１１ａには、上述した主制御装置２６１が収容される基板ボックス２６３と同様に封印手段が設けられ、基板ボックス３１１ａの開封された痕跡が残るようになっている（当該基板ボックス２６３に関しては後に詳述する）。
【００６４】
加えて、カードユニット接続基板３１４は、基板ボックス３１４ａに収容されて、基板ボックス３１３ａ（発射制御装置３１２及び電源装置３１３）の背面側に固定されている。
【００６５】
なお、上記各基板ボックス３１１ａ，３１３ａ，３１４ａは透明樹脂材料等により構成されており、内部が視認可能となっている。
【００６６】
また、払出制御装置３１１には基板ボックス３１１ａから外方に突出する状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００６７】
さらに、電源装置３１３には基板ボックス３１３ａから外方に突出するＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技ホールの営業終了時に）電源遮断すると電源遮断前の状態が記憶保持されることから、電源投入時に初期状態に戻したい場合には、ＲＡＭ消去スイッチ３２３を押しながら電源を投入する。
【００６８】
また、図６に示すように、内枠１２の右側部背面側には施錠装置６００が設けられている。施錠装置６００は、前面枠セット１４の前面側に露出するシリンダ錠７００（図１等参照）を備えており、該シリンダ錠７００の鍵穴に鍵を挿入し、一方に回動操作することで内枠１２を解錠でき、他方に回動操作することで前面枠セット１４を解錠できるようになっている。本実施形態では、内枠１２は外枠１１に対し施錠され、前面枠セット１４は内枠１２に対し施錠される。
【００６９】
尚、上記のように、外枠１１の右辺枠構成部１１ｄには、施錠装置６００に対応する上下区間全域を内枠１２の背面側から覆う延出壁部８３が形成されている（図５参照）。これにより、外枠１１の背面側から線材等を進入させ、当該線材等により施錠装置６００を操作することが困難となる。結果として、防御性能の向上を図ることができる。さらに、延出壁部８３は、裏パックユニット２０３及び下枠セット２５１の右端部（図５では左側の端部）を背面側から覆う構成となっており、内枠１２の閉状態においては、裏パックユニット２０３及び下枠セット２５１を開放できない構成となっている。
【００７０】
また、図４に示すように、内枠１２の前面側右下部（発射装置６０の右側）には、前面枠セット１４の開放を検知するための前面枠開放検知スイッチ９１が設けられ、図５に示すように、内枠１２の背面側右下部（図５では左下）には、内枠１２の開放を検知するための内枠開放検知スイッチ９２が設けられている。前面枠開放検知スイッチ９１及び内枠開放検知スイッチ９２は、それぞれスイッチ本体部に対して出没可能な検知部を備えており、前面枠開放検知スイッチ９１は検知部が前方に向くように設けられ、内枠開放検知スイッチ９２は検知部が後方へ向くように設けられる。そして、検知部がスイッチ本体部から突出した状態にある場合にはオン信号を主制御装置２６１に出力し、検知部がスイッチ本体部側に押圧され、スイッチ本体部に没入した状態ではオフ信号を主制御装置２６１に出力する構成となっている。つまり、前面枠開放検知スイッチ９１は前面枠セット１４の閉鎖時において検知部が前面枠セット１４の背面で押圧されてオフ状態となり、前面枠セット１４の開放時には、検知部が突出状態に戻ってオン状態となる。同様に、内枠開放検知スイッチ９２は内枠１２の閉鎖時において検知部が外枠１１の受部８５に一体形成された押圧部８６によって押圧されてオフ状態となり、内枠１２の開放時には検知部が突出状態に戻ってオン状態となる。
【００７１】
さて、本実施形態では、制御基板としての主制御装置２６１を収容する基板ボックス２６３に特徴がある。以下、かかる構成について、図面を参照しつつ説明する。図７は基板ボックス２６３の斜視図である。図８は基板ボックス２６３の分解斜視図である。図９（ａ）、（ｂ）は基板ボックス２６３の連結部位を示す断面図であり、図９（ｃ）はベース側連結部４０３を示す部分斜視図である。図１０は基板ボックス２６３の断面図である。図１１はコネクタ開口部４１１の周縁部を示す背面図である。尚、図８では、便宜上、保持部４５５の先端部側を破断したボックスカバー２６３ｂを図示するとともに、主制御装置２６１を二点鎖線にて図示する。
【００７２】
図７、図８に示すように、基板ボックス２６３は、主制御装置２６１を収容するボックスベース２６３ａと、ボックスベース２６３ａの開口部を閉塞するボックスカバー２６３ｂとを備えている。尚、主制御装置２６１は長板状をなしており、基板ボックス２６３がセットされた状態においては、長手方向が左右方向に沿って延び、ＣＰＵ（５０１）等の各種電気部品（図示略）が搭載された部品搭載面が後方に面している。また、主制御装置２６１の背面（部品搭載面）には、上辺部に沿って受側コネクタ２６５が設けられている。本実施形態では、主制御装置２６１に設けられる複数の受側コネクタ２６５が左右方向に並べられ、互いに隣接して隙間なく設置されている。
【００７３】
ボックスベース２６３ａは、左右に長い扁平箱状をなし、パチンコ機１０の背面視右側（図８の右側）に主制御装置２６１を内部に挿通させるための開口部４０２（図９（ａ）、（ｂ）参照）が形成されたボックスベース本体４０１と、ボックスベース本体４０１とは当初別体として構成され、ボックスベース２６３ａとボックスカバー２６３ｂとの組付け時においてボックスベース本体４０１の開口部４０２側の端縁に接続形成されるベース側連結部４０３とを備えている。尚、ボックスベース本体４０１の前面側には、基板ボックス２６３を裏枠セット２１５に接続するためのベース部材２６４が取付けられている。
【００７４】
ボックスベース本体４０１の開口部４０２は、ボックスベース本体４０１に対して主制御装置２６１を当該主制御装置２６１の長手方向に沿って相対変位させた場合に、当該主制御装置２６１の挿通を許容するとともに、ボックスベース本体４０１に対して主制御装置２６１を当該主制御装置２６１の長手方向以外の方向に沿って相対変位させた場合には、当該主制御装置２６１の挿通が不可能となる程度の大きさを有している。
【００７５】
加えて、ボックスベース本体４０１のうち主制御装置２６１の背面（部品搭載面）と対向する後壁部４０４の上部には、主制御装置２６１に搭載された受側コネクタ２６５に対して、それぞれ電源装置３１３や払出制御装置３１１等と電気的に接続された各ケーブルの差込側コネクタ（図示略）を接続するためのコネクタ開口部４１１が形成されている。また、図１１に示すように、本実施形態では、ボックスベース本体４０１の後壁部４０４に対してコネクタ開口部４１１の左右両側方に破断ねじを螺着可能な取付孔４１２が２つずつ（計４つ）形成されている。さらに、４つの取付孔４１２のうちパチンコ機１０の背面視で左から二番目の取付孔４１２の周縁部には、取付孔４１２を囲うようにして複数の除去用スリット４１３が形成されている。
【００７６】
また、図１０、図１１に示すように、ボックスベース本体４０１の後壁部４０４の前面（内側面）には、コネクタ開口部４１１を上下に挟むようにして一対のスライドレール４１５が設けられており、かかるスライドレール４１５に沿ってパネル部材４１６が左右方向にスライド可能に装備されている。パネル部材４１６は、その略中央部に接続孔部４１７を有しており、パネル部材４１６のスライドは、接続孔部４１７がコネクタ開口部４１１内に位置する範囲でのみ許容されるようになっている。また、パネル部材４１６は、そのスライド方向においてコネクタ開口部４１１よりも幅広に構成されており、パネル部材４１６はスライド位置に関わらず、接続孔部４１７を除く部位がコネクタ開口部４１１を常時閉塞するようになっている。
【００７７】
さらに、本実施形態では、上記取付孔４１２に螺着される破断ねじによりパネル部材４１６のスライドが規制される構成となっている。具体的に、本実施形態では、当初、図１１（ａ）に示すように、パチンコ機１０の背面視で一番右側の取付孔４１２及び左から二番目の取付孔４１２に対して破断ねじ４１８が螺着され、これらの破断ねじ４１８（ボックスベース本体４０１の内側に突出した部位）がそれぞれパネル部材４１６の両側部に略当接状態となっている。この状態では、パネル部材４１６は、コネクタ開口部４１１のうちパチンコ機１０の背面視左側の部位を閉塞する位置で保持されることとなる。
【００７８】
一方、除去用スリット４１３に沿ってボックスベース本体４０１を破断して、左から二番目の取付孔４１２に螺着された破断ねじ４１８を除去するとともに、一番左側の取付孔４１２に破断ねじ４１８を螺着し、パネル部材４１６をかかる破断ねじ４１８に当接するまでスライドさせた場合、図１１（ｂ）に示すように、コネクタ開口部４１１のうちパチンコ機１０の背面視右側の部位がパネル部材４１６により閉塞されることとなる。さらに、右から二番目の取付孔４１２に破断ねじ４１８を螺着することにより、パネル部材４１６がその位置で保持されることとなる。尚、除去用スリット４１３に沿ってボックスベース本体４０１を破断することで形成される開口は、図１１の左方にスライド変位したパネル部材４１６により閉塞される（図１１（ｂ）参照）。
【００７９】
尚、破断ねじ４１８は、ドライバー（工具）の先端と係合する十字穴（工具係合部）が形成された部位を取り除くことのできるねじであり、螺着後、十字穴が形成された部位が取り除かれることで、ドライバーにより破断ねじ４１８を取外すことが不可能となる。また、取付状態にある破断ねじ４１８は、取付孔４１２の内側に位置していることが望ましい。この場合、破断ねじ４１８の端部をプライヤー等で挟んで回転させ、破断ねじ４１８を取外されてしまうといった事態を防止することができる。尚、図１１では、便宜上、破断ねじ４１８に対して十字穴が形成されているように図示されているが、実際には、上記のように十字穴が形成されている部位が除去され、破断ねじ４１８が取外し不可能となっている。
【００８０】
加えて、本実施形態では、図１０に示すように、受側コネクタ２６５とパネル部材４１６とが近接配置されるとともに、受側コネクタ２６５と差込側コネクタとの接続方向において、接続孔部４１７の外周形状と受側コネクタ２６５の外周形状とがほぼ同じ形状となっている。これにより、基板ボックス２６３の組付け状態（ボックスベース２６３ａとボックスカバー２６３ｂとの組付け状態）において、接続孔部４１７の周縁部と受側コネクタ２６５との間にほとんど隙間が形成されない構成となっている。特に、上記のようにパネル部材４１６の変位が破断ねじ４１８によって規制されていることから、パネル部材４１６をスライドさせて受側コネクタ２６５と接続孔部４１７との位置をずらし、隙間を形成するといった行為を防止することができる。これらの構成により、コネクタ開口部４１１及び接続孔部４１７を介して基板ボックス２６３の内部に針金等を侵入させて、主制御装置２６１に誤作動を働きかけるといった不正行為を抑止することができる。
【００８１】
また、図９（ａ）、（ｂ）に示すように、ボックスベース本体４０１には、開口部４０２に沿って、ボックスベース本体４０１の内側に突出し、ボックスベース本体４０１の成形に際して、ボックスベース本体４０１と一体成形される係合部４２１が設けられている。本実施形態では、係合部４２１は、ボックスベース本体４０１の後壁部４０４と、主制御装置２６１の前面に対向する前壁部と、後壁部４０４と前壁部とを連結する上壁部及び下壁部とに形成されている。また、係合部４２１は、パチンコ機１０の背面視右側（ボックスカバー２６３ｂ側：図９の右側）の面が、開口部４０２の内周側に向けてパチンコ機１０の背面視左側に傾斜して延び、パチンコ機１０の背面視左側の面が、ボックスベース本体４０１の内壁面と直交する方向に延びている。
【００８２】
さらに、ボックスベース本体４０１には、係合部４２１よりも主制御装置２６１のボックスベース本体４０１への挿通方向奥側の部位（図９で左側の部位）において、複数の切除用スリット４２２が開口部４０２の周方向に沿って所定間隔毎に形成されている。切除用スリット４２２は、ボックスベース本体４０１の成形に際して同時に形成される。
【００８３】
加えて、ボックスベース本体４０１の開口部４０２側の端縁には、開口部４０２のコーナー部に対応する部位を除き、外面側に段差を形成することで構成された充填部４２３（段差部）が設けられている。
【００８４】
さて、図９（ａ）等に示すように、ベース側連結部４０３は、ボックスベース本体４０１とは別体として構成される係止部材４３１と、係止部材４３１とボックスベース本体４０１（開口部４０２の周縁部）とを連結する硬化性樹脂層４３２とを備えている。本実施形態では、ベース側連結部４０３は、開口部４０２を囲むようにして、ボックスベース本体４０１の開口部４０２側の端縁の全周にわたって形成されている（図７参照）。
【００８５】
係止部材４３１は、断面略コ字状をなしており、係止部材４３１の内側に形成される凹部４３４が開口部４０２の外周側に開口するようにして配置されている。また、係止部材４３１は、可撓性を有する素材により構成されており、開口部４０２の周方向に沿って一続きに配設されている。本実施形態では、長手方向一端部及び他端部が、開口部４０２の前縁部と上縁部との境界部に対応して設置されている。加えて、係止部材４３１の凹部４３４を構成する壁部のうちボックスベース本体４０１（ボックスベース本体４０１の開口部４０２側の端縁）と当接する当接壁部４３１ａは充填部４２３と面一となっており、その他の壁部はボックスベース本体４０１の外側面と面一となっている。
【００８６】
硬化性樹脂層４３２は、レーザ光等の光を照射することで硬化する光硬化性樹脂を、係止部材４３１の凹部４３４及びボックスベース本体４０１の充填部４２３に充填した後、硬化させることで形成されている。このように、係止部材４３１とボックスベース本体４０１とにかけて形成される硬化性樹脂層４３２により、係止部材４３１がボックスベース本体４０１に連結され、結果的に、ベース側連結部４０３がボックスベース本体４０１と一体的に設けられている。尚、ボックスベース本体４０１の開口部４０２側の端縁のうち、開口部４０２の内周側の部位に関しては、光硬化性樹脂を充填する際に、係止部材４３１の当接壁部４３１ａと当接状態とされているため、その表面に硬化性樹脂層４３２が形成されない構成となっている。
【００８７】
さらに、図７、図８に示すように、係止部材４３１には、開口部４０２のコーナー部と対応する位置に、係止部材４３１の長手方向において凹部４３４を仕切る流れ止め４３５が形成されている。具体的に、流れ止め４３５は、開口部４０２を囲むようにして設置される係止部材４３１の上辺部、下辺部、前辺部、及び後辺部の各両端部にそれぞれ対応して形成されている。当該流れ止め４３５は、凹部４３４の内側だけでなく、当接壁部４３１ａの開口部４０２外周側の部位にまで形成されており、ボックスベース本体４０１の開口部４０２側の端縁うち充填部４２３の形成されていないコーナー部位と当接状態とされている。これにより、凹部４３４及び充填部４２３に対して確実に光硬化性樹脂を充填させることができる。
【００８８】
尚、本実施形態では、係止部材４３１の各辺部に設けられる流れ止め４３５と、当該辺部に隣接する辺部に設けられる流れ止め４３５との間の部位に関しては、凹部４３４に硬化性樹脂層４３２を形成してもよいし、形成しなくてもよい（硬化性樹脂層４３２を形成する場合、係止部材４３１の凹部４３４の底部に部分的に形成される程度でもよい）。また、光硬化性樹脂の流出を防止するための流れ止め４３５を係止部材４３１とは別体として構成してもよく、光硬化性樹脂の充填に際して係止部材４３１のコーナー部に対し流れ止め４３５を設置することとしてもよい（光硬化性樹脂の硬化後、当該流れ止め４３５を取外してもよいし、そのまま残してもよい）。
【００８９】
また、図９（ｃ）に示すように、ベース側連結部４０３の長手方向一端部（本例では係止部材４３１の前辺部の上端部）には、係止部材４３１から側方に突出するつまみ部４３６が設けられている。当該つまみ部４３６は、略板状の把持部４３７と、把持部４３７から延びる挿入部４３８とを備え、係止部材４３１の長手方向一端部の側壁に形成された固定孔４３９に対して挿入部４３８を挿入した後、係止部材４３１の凹部４３４に光硬化性樹脂を充填して硬化させ、挿入部４３８を硬化性樹脂層４３２に埋設することにより、ベース側連結部４０３と一体的に設けられている。尚、図９（ｃ）では、便宜上、ボックスベース２６３ａのみを図示し、ボックスカバー２６３ｂの図示を省略している。
【００９０】
そして、つまみ部４３６を引っ張ると、ベース側連結部４０３に対し、硬化性樹脂層４３２のうちボックスベース本体４０１と係止部材４３１との境界部（充填部４２３と凹部４３４との境界部）付近を中心として係止部材４３１が回動するような応力が作用し、硬化性樹脂層４３２のうちボックスベース本体４０１と係止部材４３１との境界部付近の部位が破断されることとなる。特に、本実施形態では、ボックスベース本体４０１と係止部材４３１との境界部付近の硬化性樹脂層４３２の肉厚（上下方向における肉厚）が、凹部４３４の内側に形成される硬化性樹脂層４３２の肉厚（左右方向における肉厚）よりも薄くなっているため、つまみ部４３６を引っ張ることで比較的容易に前記境界部に沿って硬化性樹脂層４３２を破断してベース側連結部４０３をボックスベース２６３ａ（ボックスベース本体４０１）から除去することができる。本実施形態では、硬化性樹脂層４３２のうち薄肉に構成されたボックスベース本体４０１と係止部材４３１との境界部付近の部位が破断部に相当する。
【００９１】
また、図９（ｃ）に示すように、ボックスベース２６３ａには、ベース側連結部４０３（係止部材４３１）のうちつまみ部４３６が設けられた長手方向一端部を押さえる規制手段としての規制片４４１が設けられている。規制片４４１は略Ｌ字状をなし、ベース側連結部４０３の開口部４０２外周側の面及びボックスカバー２６３ｂ側の面と略当接状態とされている。当該規制片４４１により、ベース側連結部４０３の変位が規制されることとなる。また、規制片４４１は、ボックスベース本体４０１に対して係止部材４３１が接続された後、ボックスベース本体４０１に対してねじ４４２により固定される。尚、規制片４４１の固定に使用されるねじ４４２は、十字穴やすりわり等の形成された一般的なねじ（例えば木ねじ）であり、規制片４４１は着脱自在となっている。
【００９２】
図８等に示すように、ボックスカバー２６３ｂは、パチンコ機１０の背面視左側（ボックスベース２６３ａ側）に開口する略箱状をなし、基板ボックス２６３の組付け状態においてボックスベース２６３ａの開口部４０２を閉塞する蓋部４５１と、蓋部４５１の開口部（以下カバー側開口部４５２と称する）に沿って設けられたカバー側連結部４５３と、蓋部４５１からボックスベース２６３ａ側（パチンコ機１０の背面視左方）に延びる上下一対の保持部４５５とを備えている。
【００９３】
カバー側連結部４５３は、蓋部４５１のカバー側開口部４５２側の端縁のうちカバー側開口部４５２内周側の部位からボックスベース２６３ａ側に延出する枠状の基部４６１と、基部４６１のコーナー部を除く部位からボックスベース２６３ａ側に突出する係合片４６２と、係合片４６２の先端部からカバー側開口部４５２の外周側に向けて突出する係合爪４６３とを備えている。尚、係合片４６２は、カバー側開口部４５２の周方向において連続しておらず、基部４６１の各コーナー部に対応して途切れていることから、係合片４６２に対してカバー側開口部４５２の内周側に応力が作用した場合に若干撓むようなっている。これに対し、枠状の基部４６１に関しては、応力が作用しても変形しにくくなっており、基部４６１に対して力を加えても、係合片４６２を撓ませることは困難又は不可能となっている。
【００９４】
図９（ａ）、（ｂ）に示すように、係合爪４６３は、パチンコ機１０の背面視左側（図９の左側）の面が、カバー側開口部４５２の内周側に向けてパチンコ機１０の背面視左側に傾斜して延び、パチンコ機１０の背面視右側の面が、係合片４６２（基部４６１）と直交する方向に延びている。加えて、カバー側開口部４５２の内外周方向において、係合爪４６３の先端部（カバー側開口部４５２の外周側の端部）は、蓋部４５１の外周面よりもカバー側開口部４５２の内周側に位置している。
【００９５】
また、上記のように、基部４６１は、蓋部４５１のカバー側開口部４５２側の端縁のうちカバー側開口部４５２内周側の部位から延出しているため、基部４６１の外周面は、蓋部４５１の外周面よりもカバー側開口部４５２の内周側に位置しており、両者の境界部には段差が形成されている。これにより、蓋部４５１のボックスベース２６３ａ側の面と、基部４６１のカバー側開口部４５２外周側の面と、係合爪４６３の蓋部４５１側の面とにより、断面コ字状の収容部４６４が形成されている。
【００９６】
本実施形態では、当該収容部４６４に係止部材４３１が嵌め込まれ、ボックスベース本体４０１とボックスカバー２６３ｂとが位置合わせされた状態（係止部材４３１の当接壁部４３１ａとボックスベース本体４０１の開口部４０２側との端縁とが当接した状態）で、係止部材４３１の凹部４３４に光硬化性樹脂が充填、硬化され、係止部材４３１とボックスベース本体４０１とを連結する硬化性樹脂層４３２が形成される。すなわち、硬化性樹脂層４３２によりボックスベース本体４０１と連結された係止部材４３１と、カバー側連結部４５３の係合爪４６３とが係合状態となり、これにより、ベース側連結部４０３とカバー側連結部４５３とが係合し（連結され）、基板ボックス２６３が封印状態とされる（主制御装置２６１が封印される）こととなる。尚、収容部４６４に係止部材４３１が嵌めこまれていることから、ベース側連結部４０３とカバー側連結部４５３との間の隙間をなくすことができ、ベース側連結部４０３とカバー側連結部４５３との間から線材等を基板ボックス２６３の内部に侵入させるといった不正行為を防止することができる。尚、本実施形態では、ボックスベース本体４０１の開口部４０２側の端縁と蓋部４５１との間につまみ部４３６を収容するべく、蓋部４５１のボックスベース２６３ａ側の端縁のうちベース側連結部４０３に設けられたつまみ部４３６に対応する部位に関しては、その他の部位よりもボックスベース２６３ａから離れる側（図９の右側）に位置している（図示略）。
【００９７】
加えて、収容部４６４の横幅（係合爪４６３と蓋部４５１との間の距離）は、係止部材４３１の横幅と同じに構成されている。これにより、係止部材４３１をボックスベース本体４０１に接続する際に、ボックスカバー２６３ｂに対し、係止部材４３１を仮固定しておくことができ、作業性の向上等を図ることができる。
【００９８】
尚、係止部材４３１が可撓性を有する素材により構成されていることにより、係止部材４３１を収容部４６４に対して確実に嵌め込むことができる上、コーナー部に対応して屈曲させた場合に追従的に変形させることができ、コーナー部において係止部材４３１が基部４６１から浮き上がってしまうといった事態を抑制することができる。尚、収容部４６４の横幅を係止部材４３１の横幅よりも若干小さく構成してもよい。当該構成を採用する場合であっても、係止部材４３１を収容部４６４に嵌め込む段階では、係止部材４３１の凹部４３４に硬化性樹脂層４３２が形成されていないため、係止部材４３１を押し縮めるようにして嵌め込むことができる。
さらに、図９（ａ）、（ｂ）に示すように、収容部４６４に嵌め込まれた係止部材４３１の凹部４３４の底面は、係合爪４６３の先端部（カバー側開口部４５２の外周側端部）よりもカバー側開口部４５２の内周側に位置している。これにより、ボックスベース２６３ａに対するボックスカバー２６３ｂの着脱方向において、係合爪４６３と硬化性樹脂層４３２とが一部で重なることとなり、ボックスカバー２６３ｂをボックスベース２６３ａから外れる方向に引っ張るなどした場合に、応力が硬化性樹脂層４３２に確実に作用するようになっている。従って、ボックスカバー２６３ｂを無理やり引っ張ってボックスベース２６３ａから取外した場合には、硬化性樹脂層４３２が破断されることとなる。換言すれば、硬化性樹脂層４３２を破断しない限り、基板ボックス２６３を開封することができない構成となっている。特に、本実施形態では、上記のように、硬化性樹脂層４３２のうち係止部材４３１とボックスベース本体４０１との境界部に対応する部位の肉厚が薄くなっており、当該境界部に応力が集中する構成となっている。このため、上記のように、無理やり基板ボックス２６３を開封した場合には、かかる薄肉部が破断され、ベース側連結部４０３がボックスベース２６３ａから別離することとなる。
【００９９】
加えて、係止部材４３１のうち、ボックスカバー２６３ｂ側かつ開口部４０２内周側のコーナー部は斜めにカットされた形状になっている。このため、つまみ部４３６をつまんでベース側連結部４０３を引っ張った際に、係止部材４３１が収容部４６４から抜け出しやすく、ベース側連結部４０３をボックスベース本体４０１から除去しやすいようになっている。
【０１００】
図８に示すように、上下一対の保持部４５５は、基部４６１の上辺部と前辺部とのコーナー部、及び下辺部と前辺部とのコーナー部からボックスベース２６３ａ側に延出形成されており、基板ボックス２６３の組付け時には、ボックスベース本体４０１の内側に収容される。また、保持部４５５はそれぞれ断面略コ字状に構成され、各保持部４５５の内側には主制御装置２６１の上辺部及び下辺部がそれぞれ挿通状態とされている。これにより、主制御装置２６１が上下一対の保持部４５５にて保持されている。従って、例えば、ボックスカバー２６３ｂをボックスベース２６３ａから取外すことで、ボックスカバー２６３ｂの変位に伴い、保持部４５５に保持された主制御装置２６１がボックスベース２６３ａから取り出されることとなる。このため、ボックスベース２６３ａを裏枠セット２１５へ取付けた状態のまま、ボックスカバー２６３ｂを取外して主制御装置２６１を取り出す（取り出した後、再度収容する）際の作業性の向上を図ることができる。尚、保持部４５５と主制御装置２６１とを固定する固定手段を設ける（例えば、保持部４５５の長手方向中間位置にねじ孔を形成するとともに、主制御装置２６１に対し、保持部４５５への挿通状態において前記ねじ孔と位置合わせされる固定孔を形成し、ねじ孔及び固定孔にねじを螺着する）こととしてもよい。
【０１０１】
また、図１０に示すように、ボックスベース本体４０１には、上下の保持部４５５にそれぞれ対応して、ボックスベース本体４０１の上壁部及び下壁部からボックスベース本体４０１の内側に突出し、上下の保持部４５５の後面をそれぞれ支持する上下一対の支持板部４７１が設けられている。基板ボックス２６３の組付け状態においては、上側の保持部４５５は、ボックスベース本体４０１の前壁部、上壁部、及び上壁部から突出する支持板部４７１に略当接状態とされ、下側の保持部４５５は、ボックスベース本体４０１の前壁部、下壁部、及び下壁部から突出する支持板部４７１に略当接状態とされる。これにより、ボックスベース２６３ａに対する主制御装置２６１及びボックスカバー２６３ｂの位置決めが行われる。本実施形態では、主制御装置２６１のボックスベース本体４０１への挿通状態において保持部４５５の外周面を支持するボックスベース本体４０１の前壁部、上壁部、下壁部、及び支持板部４７１と、保持部４５５とにより位置決め手段が構成される。また、ボックスベース２６３ａとボックスカバー２６３ｂとの組付けに際しては、保持部４５５が支持板部４７１等に摺接することにより主制御装置２６１の挿通がガイドされる上、保持部４５５がボックスベース本体４０１の内側に収容された状態においては、ボックスベース２６３ａ及びボックスカバー２６３ｂの両方を支持しなくても、ボックスカバー２６３ｂがボックスベース２６３ａから脱落することがない。従って、基板ボックス２６３の組付け（封印）に際しての作業性の向上を図ることができる。
【０１０２】
ここで、基板ボックス２６３の封印作業（一回目の封印）について簡単に説明する。まず、ボックスカバー２６３ｂの上下一対の保持部４５５の内側に主制御装置２６１の上辺部及び下辺部を挿通し、主制御装置２６１がボックスカバー２６３ｂに保持された状態とする。次に、カバー側連結部４５３の収容部４６４に対し、カバー側開口部４５２の周方向に沿って係止部材４３１を嵌め込む。さらに、保持部４５５をボックスベース本体４０１の前壁部と支持板部４７１との間に挿通させるようにして、ベース側連結部４０３とカバー側連結部４５３とが非係合状態で当接するまで（各連結部４０３、４５３の傾斜面が当接するまで）、主制御装置２６１をボックスベース２６３ａの内側に挿通させる。これにより、係止部材４３１とボックスベース本体４０１とが当接状態とされ、蓋部４５１によってボックスベース本体４０１の開口部４０２が閉塞された状態となる（図９（ａ）参照）。
【０１０３】
次に、上記のようにボックスベース本体４０１とボックスカバー２６３ｂとが位置合わせされた状態において、係止部材４３１の凹部４３４及びボックスベース本体４０１の充填部４２３に光硬化性樹脂を充填し、硬化させることで、硬化性樹脂層４３２を形成する。このように、係止部材４３１とボックスベース本体４０１とにかけて硬化性樹脂層４３２が形成されることにより、係止部材４３１とボックスベース本体４０１とが連結される（ボックスベース本体４０１に対してベース側連結部４０３が接続成形される）。また、係止部材４３１は、収容部４６４に嵌め込まれた状態、すなわち、カバー側連結部４５３に係止された状態にあることから、係止部材４３１とボックスベース本体４０１とが連結されることで、ベース側連結部４０３とカバー側連結部４５３とが連結される。従って、図７、図９（ａ）に示すように、ボックスベース２６３ａとボックスカバー２６３ｂとが連結され（基板ボックス２６３がかしめられ）、主制御装置２６１が封印されることとなる。尚、本実施形態では、ベース側連結部４０３及びカバー側連結部４５３が第１封印手段に相当する。
【０１０４】
その後、ボックスベース本体４０１に対して規制片４４１を取付けることで、基板ボックス２６３の封印作業が完了する。尚、本実施形態では、上記封印作業に先立って、ボックスベース本体４０１の後壁部４０４に形成された４つの取付孔４１２のうちパチンコ機１０の背面視で左から二番目の取付孔４１２に対して破断ねじ４１８を螺着し、スライドレール４１５に対してパネル部材４１６を取付ける（挿通状態とする）とともに、４つの取付孔４１２のうち一番右側の取付孔４１２に対して破断ねじ４１８を螺着する。これにより、ベース側連結部４０３とカバー側連結部４５３との連結（係合）状態（第１封印手段による基板ボックス２６３の封印状態）において、主制御装置２６１に搭載された受側コネクタ２６５とパネル部材４１６の接続孔部４１７との位置が一致し、受側コネクタ２６５と差込側コネクタとを確実に接続することができる。
【０１０５】
次に、遊技ホールにおいて、ボックスベース２６３ａをパチンコ機１０（裏枠セット２１５）から取外すことなく、基板ボックス２６３を開封して主制御装置２６１を点検したり交換したりする作業について簡単に説明する。
【０１０６】
先ず、受側コネクタ２６５から差込側コネクタを取外すとともに、ボックスベース本体４０１から規制片４４１を除去する。続いて、ベース側連結部４０３のつまみ部４３６をつまんで引っ張る。当該作業により、硬化性樹脂層４３２（硬化性樹脂層４３２のうち、係止部材４３１とボックスベース本体４０１との境界部付近の部位）が破断され、ベース側連結部４０３が基板ボックス２６３から除去される。ベース側連結部４０３が除去されることで、ボックスベース２６３ａとボックスカバー２６３ｂとの連結状態（封印状態）が解除されることとなる。
【０１０７】
そして、ボックスベース本体４０１から保持部４５５を抜き出すようにして、ボックスカバー２６３ｂをボックスベース２６３ａから取り外し、主制御装置２６１を取り出す。
【０１０８】
主制御装置２６１を点検したり、交換したりした後、基板ボックス２６３を再度封印（二回目の封印）する際には、一回目の封印のときと同様に、保持部４５５に保持された主制御装置２６１をボックスベース本体４０１の内側に挿通させていく。但し、当該作業では、係合部４２１とカバー側係合部４２１とが非係合状態で当接した後も、ボックスカバー２６３ｂをボックスベース本体４０１に押付ける。すなわち、図９（ｂ）に示すように、ベース側連結部４０３（係止部材４３１）が除去されることで形成されたスペースを埋めるようにして、ボックスベース本体４０１の開口部４０２側の端縁と蓋部４５１とが当接するまで、ボックスカバー２６３ｂをボックスベース２６３ａに押し込む。当該作業により、係合部４２１とカバー側連結部４５３とが係合状態とされ、結果的にボックスベース２６３ａとボックスカバー２６３ｂとが連結され（基板ボックス２６３がかしめられ）、主制御装置２６１が再度封印される。本実施形態では、係合部４２１及びカバー側連結部４５３が第２封印手段に相当する。
【０１０９】
尚、係合部４２１とカバー側連結部４５３との係合状態（第２封印手段による基板ボックス２６３の封印状態）においては、カバー側連結部４５３がボックスベース本体４０１の内側に収容されるため、カバー側連結部４５３と係合部４２１との係合部位への接触が非常に困難又は不可能となる。特に、本実施形態では、ボックスベース本体４０１の開口部４０２側の端縁と、ボックスベース２６３ａの蓋部４５１とが当接状態とされていることから、ボックスベース本体４０１とボックスカバー２６３ｂとの間から線材等を基板ボックス２６３の内部に侵入させるといった不正行為を防止することができる。
【０１１０】
尚、本実施形態では、２回目の封印作業に先立って、図１１（ｂ）に示すように、除去用スリット４１３に沿ってボックスベース本体４０１を破断して、４つの取付孔４１２のうちパチンコ機１０の背面視で左から二番目の取付孔４１２に螺着された破断ねじ４１８を除去するとともに、一番左側の取付孔４１２に破断ねじ４１８を螺着し、パネル部材４１６をかかる破断ねじ４１８に当接するまでスライドさせた後、右から二番目の取付孔４１２に破断ねじ４１８を螺着する。これにより、係合部４２１とカバー側連結部４５３とが係合した状態において、主制御装置２６１に搭載された受側コネクタ２６５とパネル部材４１６の接続孔部４１７との位置が一致し、受側コネクタ２６５と差込側コネクタとを確実に接続することができる。
【０１１１】
尚、係合部４２１とベース側連結部４０３とが係合状態にある基板ボックス２６３を開封する場合には、隣接する切除用スリット４２２間の部位を破断することによってボックスベース本体４０１から係合部４２１（係合部４２１が形成されている部位）を切除する。これにより、基板ボックス２６３を開封することができる。尚、切除用スリット４２２に沿ってボックスベース本体４０１を破断して基板ボックス２６３を開封した場合には、ボックスベース本体４０１においてカバー側連結部４５３と係合する部位がなくなるため、基板ボックス２６３を再度封することができない構成となっている。また、本実施形態では、ベース側連結部４０３をボックスベース２６３ａから除去する以外の方法（例えば、カバー側連結部４５３をボックスカバー２６３ｂから除去したり、切除用スリット４２２に沿ってボックスベース本体４０１を破断したりする）で基板ボックス２６３を開封した場合、基板ボックス２６３を再封印することが不可能となる。
【０１１２】
次に、パチンコ機１０の電気的構成について説明する。図１２は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。但し、ＣＰＵ、ＲＯＭ及びＲＡＭが１チップ化されておらず、それぞれの機能毎にチップ化されている構成であってもよい。
【０１１３】
ＲＡＭ５０３は、ＣＰＵ５０１の内部レジスタの内容やＣＰＵ５０１により実行される制御プログラムの戻り先番地などが記憶されるスタックエリアと、各種フラグ及びカウンタ、Ｉ／Ｏ等の値が記憶される作業エリア（作業領域）と、バックアップエリア５０３ａとを備えている。
【０１１４】
また、ＲＡＭ５０３は、パチンコ機１０の電源のオフ後においても電源装置３１３からバックアップ電圧が供給されてデータを保持（バックアップ）できる構成となっており、スタックエリア、作業エリア及びバックアップエリア５０３ａに記憶されるすべてのデータがバックアップされるようになっている。
【０１１５】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、メイン処理によって電源切断時に実行され、逆にバックアップエリア５０３ａに書き込まれた各値の復帰は、電源入時（停電解消による電源入を含む。以下同様）のメイン処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１１６】
なお、少なくともスタックエリアとバックアップエリア５０３ａとに記憶されるデータをバックアップすれば、必ずしもすべてのエリアに記憶されるデータをバックアップする必要はない。例えば、スタックエリアとバックアップエリア５０３ａとに記憶されるデータをバックアップし、作業エリアに記憶されるデータをバックアップしない構成としてもよい。
【０１１７】
かかるＲＯＭ５０２及びＲＡＭ５０３を内蔵したＣＰＵ５０１には、アドレスバス及びデータバス等で構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【０１１８】
その他、便宜上、各種中継基板等の図示は省略するが、入出力ポート５０５には、入賞口スイッチ２２１、カウントスイッチ２２３、第１契機対応ユニットスイッチ２２４ａ，２２４ｂ、第２契機対応口スイッチ２２５などの各種検出スイッチや、各種基板などの各種電気部品が接続されている。つまり、主制御装置２６１には、各種ケーブルコネクタのコネクタを接続するための複数の端子部（基板側コネクタ）が設けられているが、これら端子部等により、入出力ポート５０５が構成される。
【０１１９】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１２０】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、演出ボタン１２５、各種電飾部及びランプ１０２〜１０４が接続されている。
【０１２１】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【０１２２】
また、払出制御装置３１１は、払出装置３５８により賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１２３】
払出制御装置３１１のＲＡＭ５１３は、主制御装置２６１のＲＡＭ５０３と同様に、ＣＰＵ５１１の内部レジスタの内容やＣＰＵ５１１により実行される制御プログラムの戻り先番地などが記憶されるスタックエリアと、各種フラグ及びカウンタ、Ｉ／Ｏ等の値が記憶される作業エリア（作業領域）と、バックアップエリア５１３ａとを備えている。
【０１２４】
ＲＡＭ５１３は、パチンコ機１０の電源のオフ後においても電源装置３１３からバックアップ電圧が供給されてデータを保持（バックアップ）できる構成となっており、スタックエリア、作業エリア及びバックアップエリア５１３ａに記憶されるすべてのデータがバックアップされるようになっている。なお、少なくともスタックエリアとバックアップエリア５１３ａとに記憶されるデータをバックアップすれば、必ずしもすべてのエリアに記憶されるデータをバックアップする必要はない。例えば、スタックエリアとバックアップエリア５１３ａとに記憶されるデータをバックアップし、作業エリアに記憶されるデータをバックアップしない構成としてもよい。
【０１２５】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、メイン処理によって電源切断時に実行され、バックアップエリア５１３ａに書き込まれた各値の復帰は電源入時のメイン処理において実行される。なお、主制御装置２６１のＣＰＵ５０１と同様、ＣＰＵ５１１のＮＭＩ端子にも、停電等の発生による電源遮断時に停電監視回路５４２から停電信号ＳＫ１が入力されるように構成されており、その停電信号ＳＫ１がＣＰＵ５１１へ入力されると、停電時処理としてのＮＭＩ割込み処理が即座に実行される。
【０１２６】
作業エリアには、払出制御装置３１１による賞球の払出許可が設定される払出許可フラグと、主制御装置２６１から送信されたコマンドを受信した場合に設定されるコマンド受信フラグと、主制御装置２６１から送信されたコマンドが記憶されるコマンドバッファとが設けられている。
【０１２７】
払出許可フラグは、賞球の払出許可を設定するフラグであり、主制御装置２６１から賞球の払出を許可する特定のコマンドが送信され、その特定のコマンドを受信した場合にオンされ、初期設定の処理又は電源遮断前へ復帰された場合にオフされる。本実施形態では、特定のコマンドは、払出制御装置３１１のＲＡＭ５１３の初期処理の指示をする払出初期化コマンドと、賞球の払出を指示する賞球コマンドと、主制御装置２６１が復電された場合に送信される払出復帰コマンドの３つである。
【０１２８】
コマンド受信フラグは、払出制御装置３１１がコマンドを受信したか否かを確認するフラグであり、いずれかのコマンドを受信した場合にオンされ、払出許可フラグと同様に、初期設定の処理又は電源遮断前へ復帰された場合にオフされるとともに、コマンド判定処理により受信されたコマンドの判定が行われた場合にオフされる。
【０１２９】
コマンドバッファは、主制御装置２６１から送信されるコマンドを一時的に記憶するリングバッファで構成されている。
【０１３０】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出装置３５８等がそれぞれ接続されている。
【０１３１】
カードユニット接続基板３１４は、パチンコ機１０前面の貸球操作部（球貸しボタン１２１及び返却ボタン１２２）と、遊技ホール等にてパチンコ機１０の側方に配置されるカードユニット（球貸しユニット）とにそれぞれ電気的に接続され、遊技者による球貸し操作の指令を取り込んでそれをカードユニットに出力するものである。なお、カードユニットを介さずに球貸し装置等から上皿１９に遊技球が直接貸し出される現金機では、カードユニット接続基板３１４を省略することも可能である。
【０１３２】
発射制御装置３１２は、発射装置６０による遊技球の発射を許可又は禁止するものであり、発射装置６０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置６０が駆動され、ハンドル１８の操作量に応じた強度で遊技球が発射される。
【０１３３】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、バスライン５３０を介して、ＣＰＵ５２１、プログラムＲＯＭ５２２、ワークＲＡＭ５２３、ＶＤＰ５２６が接続されている。また、ＶＤＰ５２６にはバスライン５３１を介して出力ポート５２９が接続されており、その出力ポート５２９には液晶表示装置たる装飾図柄表示装置４２が接続されている。
【０１３４】
表示制御装置４５のＣＰＵ５２１は、サブ制御装置２６２から送信される表示コマンドを入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行う。
【０１３５】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１３６】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１３７】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１３８】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。
【０１３９】
電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。同様に、各種スイッチやモータ等には、これらが接続される制御装置を介して動作電源が供給されることとなる。
【０１４０】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１４１】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１４２】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１４３】
以上詳述したように、本実施形態では、ベース側連結部４０３とカバー側連結部４５３との係合状態（第１封印手段による基板ボックス２６３の封印状態）を解除した後、係合部４２１とカバー側連結部４５３とを係合状態（第２封印手段による基板ボックス２６３の封印状態）とするためには、ベース側連結部４０３をボックスベース２６３ａから除去する必要がある。このため、ベース側連結部４０３が設けられたボックスベース２６３ａに開封の痕跡が必ず形成されることとなる。従って、基板ボックス２６３を２つ用意したとしても、開封の痕跡のない（無傷の）ボックスベース２６３ａを得ることは不可能となる。その結果、取り替えたことが分からないように主制御装置２６１やＲＯＭ５０２等の制御手段を不正に交換するといった行為を防止することができ、また万一不正開封が行われてもそのような事態を早期に且つ容易に発見可能とすることができる。
【０１４４】
また、ベース側連結部４０３とカバー側連結部４５３との係合状態においては、ボックスベース本体４０１の開口部４０２側の端縁と蓋部４５１との間にベース側連結部４０３（係止部材４３１）が存在しているが、係合部４２１とカバー側連結部４５３とを係合させる際には、ベース側連結部４０３が除去されており、ボックスベース本体４０１の開口部４０２側の端縁と蓋部４５１とが当接するまでボックスベース本体４０１に対してボックスカバー２６３ｂが押込まれる（基板ボックス２６３の横幅が小さくなる）。すなわち、ベース側連結部４０３とカバー側連結部４５３との係合状態（第１封印手段による封印状態）のときと、係合部４２１とカバー側連結部４５３との係合状態（第２封印手段による封印状態）のときとで基板ボックス２６３の外観が相違するため、ベース側連結部４０３が除去されたことを把握しやすく、基板ボックス２６３が開封されたことを容易に発見することができる。
【０１４５】
さらに、ベース側連結部４０３とカバー側連結部４５３との係合状態においては、係合部４２１とカバー側連結部４５３とは非係合状態であるため、ベース側連結部４０３とカバー側連結部４５３との係合状態を解除する際には、係合部４２１とカバー側連結部４５３との係合を解除する必要はなく、ベース側連結部４０３をボックスベース本体４０１から除去するだけである。特に、本実施形態では、つまみ部４３６をつまんで引っ張るだけで、ベース側連結部４０３をボックスベース本体４０１から除去することができる。さらに、係止部材４３１とボックスベース本体４０１とを連結する硬化性樹脂層４３２は、係止部材４３１とボックスベース本体４０１との境界部付近の部位が薄肉となっており、つまみ部４３６をつまんで引っ張ることで、かかる薄肉部が比較的容易に破断される構成となっている。これらの構成により、ベース側連結部４０３とカバー側連結部４５３との係合による基板ボックス２６３の封印状態を解除する際の作業性の向上を図ることができる。
【０１４６】
また、係合部４２１とカバー側連結部４５３とを係合させる際には、ベース側連結部４０３（係止部材４３１）を除去することで形成されたスペースを埋めるようにして、ボックスベース本体４０１とボックスカバー２６３ｂとを組付けるだけである。従って、基板ボックス２６３を再度封印する際の作業性の向上を図ることができる。加えて、係合部４２１及びベース側連結部４０３に関しては、係合部４２１とベース側連結部４０３との係合状態において基板ボックス２６３の内側に収容されるため、基板ボックス２６３外部からの接触が非常に困難又は不可能となる。このため、比較的簡単な構成を採用しつつ、係合部４２１とベース側連結部４０３とにより基板ボックス２６３を確実に封印状態とすることができる。
【０１４７】
加えて、ボックスベース本体４０１の開口部４０２は、ボックスベース２６３ａに対して主制御装置２６１を当該主制御装置２６１の長手方向に沿って相対変位させた場合にのみ当該主制御装置２６１の挿通が許容される程度の大きさに構成されている。このため、ボックスベース２６３ａの開口部４０２の周長を短くすることができ、ひいては、開口部４０２を囲むようにして設けられるベース側連結部４０３（係止部材４３１）の長さを短くすることができる。従って、封印に際しての作業性の向上、及び、コストの削減等を図ることができる。また、開口部４０２を囲むようにベース側連結部４０３が設けられることにより、例えば、開口部４０２の一辺部のみにベース側連結部４０３を設ける場合に比べ、より堅固な封印を行うことができる。
【０１４８】
また、例えば、ベース側連結部４０３及びカバー側連結部４５３がそれぞれボックスベース２６３ａ及びボックスカバー２６３ｂと一体成形される場合であって、ベース側連結部４０３及びカバー側連結部４５３の剛性が高く、可撓性がほとんどない場合には、ボックスベース２６３ａとボックスカバー２６３ｂとを組付けることが不可能となったり、組付けに際してベース側連結部４０３やカバー側連結部４５３が破損してしまったりするおそれがある。一方、ベース側連結部４０３を比較的軟質の素材により構成する場合には、ボックスベース２６３ａ及びボックスカバー２６３ｂの組付けは容易に行えるものの、ベース側連結部４０３とカバー側連結部４５３との連結状態（第１封印手段による封印状態）が脆弱なものとなってしまう（所定の痕跡を残すことなく簡単に開封されてしまう）おそれがある。
【０１４９】
これに対し、本実施形態によれば、当初、ボックスベース本体４０１とは別体として構成される係止部材４３１をカバー側連結部４５３の収容部４６４に嵌め込み、ボックスベース本体４０１及びボックスカバー２６３ｂを位置合わせした後、係止部材４３１とボックスベース本体４０１とにかけて硬化性樹脂層４３２を形成することにより、ベース側連結部４０３が構成されるとともに、ベース側連結部４０３とカバー側連結部４５３とが係合状態とされる。従って、ボックスベース２６３ａとボックスカバー２６３ｂとの組付けに際しての上記不具合を憂慮することなく、上記作用効果が奏される適切な素材によりベース側連結部４０３及びカバー側連結部４５３を構成し、ベース側連結部４０３とカバー側連結部４５３との係合状態を確実なものとすることができる。
【０１５０】
さらに、例えば、ベース側連結部４０３をボックスベース本体４０１と一体成形し、かつ、ボックスカバー２６３ｂの蓋部４５１の外側面と、カバー側連結部４５３の基部４６１との間に段差が形成されない構成を採用する場合、連結部９２１とカバー側連結部４５３とを係合させる際に、ボックスカバー２６３ｂをボックスベース２６３ａに押し込みすぎてしまうと、カバー側連結部４５３がベース側連結部４０３ではなく係合部４２１と係合してしまうおそれがある。これに対し、本実施形態のように、ボックスベース本体４０１及びボックスカバー２６３ｂを位置合わせした状態で、係止部材４３１をボックスベース本体４０１に連結することによって、ベース側連結部４０３とカバー側連結部４５３とを確実に係合状態とすることができ、上記不具合を回避することができる。もちろん、カバー側連結部４５３と係合部４２１とが係合した状態においては、係止部材４３１を設置するスペースがなく、ボックスベース本体４０１に対してベース側連結部４０３を的確に接続成形することができない。
【０１５１】
また、本実施形態では、ベース側連結部４０３とカバー側連結部４５３との係合状態を解除する場合に、ベース側連結部４０３に関してはボックスベース２６３ａから除去されるが、カバー側連結部４５３に関してはボックスカバー２６３ｂに残され、基板ボックス２６３を再度封印する際に使用される。従って、基板ボックス２６３の封印に関する部材の共通化を図ることができ、例えば、一回目の封印に使用されるベース側連結部４０３及びカバー側連結部４５３とは別に、二回目の封印に使用する係合部４２１と被係合部とを設ける場合に比べ、構成の簡素化を図ることができる。
【０１５２】
加えて、本実施形態では、硬化性樹脂層４３２により係止部材４３１とボックスベース本体４０１とを連結している。このため、ボックスベース本体４０１と係止部材４３１とを比較的容易に連結することができる。また、係止部材４３１に凹部４３４が形成され、凹部４３４に硬化性樹脂層４３２が形成されることにより、係止部材４３１と硬化性樹脂層４３２とをより確実に連結することができる。さらに、ボックスベース本体４０１に充填部４２３が形成され、充填部４２３に硬化性樹脂層４３２が形成されることにより、ボックスベース本体４０１と硬化性樹脂層４３２とをより確実に連結することができる。これらの構成により、結果的に、係止部材４３１とボックスベース本体４０１とをより確実に連結することができる。
【０１５３】
また、係止部材４３１に流れ止め４３５が設けられることにより、係止部材４３１の凹部４３４及びボックスベース本体４０１の充填部４２３に対して確実に光硬化性樹脂を充填させ、硬化性樹脂層４３２を確実に形成することができる。加えて、係止部材４３１が可撓性を有することで、係止部材４３１を収容部４６４に確実かつ比較的容易に嵌め込むことができ、係止部材４３１を嵌め込んだ後、凹部４３４に硬化性樹脂層４３２が形成されることで、係止部材４３１の剛性を高めることができ、基板ボックス２６３の封印状態（ボックスベース２６３ａとボックスカバー２６３ｂとの取付状態）の安定化を図ることができる。
【０１５４】
加えて、係止部材４３１（カバー側連結部４５３）の離脱方向への変位を規制する規制片４４１が設けられているため、ベース側連結部４０３が意図することなくボックスベース本体４０１から離脱してしまうといった事態を防止することができる。
【０１５５】
また、ベース側連結部４０３とカバー側連結部４５３との係合状態のときと、係合部４２１とカバー側連結部４５３との係合状態のときとで、ボックスベース本体４０１とボックスカバー２６３ｂとの相対位置が変化することに伴って、主制御装置２６１の受側コネクタ２６５とコネクタ開口部４１１との相対位置が変化したとしても、パネル部材４１６をスライドさせることで、かかる変化を許容することができる。従って、確実にコネクタ接続を行うことができる。さらに、受側コネクタ２６５とコネクタ開口部４１１（接続孔部４１７）の周縁部との間に隙間が生じてしまうといった事態を防止することができる。特に、本実施形態では、各封印状態においてパネル部材４１６の変位が取付孔４１２に螺着される破断ねじ４１８により規制されるため、例えば、受側コネクタ２６５から差込側コネクタを取外し、パネル部材４１６をスライドさせることで、受側コネクタ２６５と接続孔部４１７の周縁部との間に隙間が形成されてしまうといった事態を防止することができる。従って、コネクタ開口部４１１（接続孔部４１７）を介して主制御装置２６１への接触が図られてしまうといった事態を防止することができる。
【０１５６】
なお、上述した実施形態の記載内容に限定されず、例えば次のように実施してもよい。
【０１５７】
（ａ）上記実施形態では、二回目の基板ボックス２６３の封印に際し、ボックスベース本体４０１の開口部４０２側の端縁とボックスカバー２６３ｂの蓋部４５１とが当接する構成となっているが、特にこのような構成に限定されるものではない。但し、係合部４２１とカバー側連結部４５３との係合部位への外部からの接触を防止するべく、かかる係合部位よりも開口部４０２側において、ボックスベース本体４０１とボックスカバー２６３ｂとを当接させたり、係合部位を開口部４０２から離して設置したりすることが望ましい。
【０１５８】
また、図１３に示すように、ボックスベース本体４０１の開口部４０２側の端縁に係止凹部７０１を設けるとともに、ボックスカバー２６３ｂの蓋部４５１の周縁部に対し、係合部４２１とカバー側連結部４５３とを係合させる際に前記係止凹部７０１に挿入される突部７０２を設けることとしてもよい。この場合、ボックスベース本体４０１とカバー側連結部４５３との突合わせ部位において、ボックスベース２６３ａ及びボックスカバー２６３ｂの組付け方向と直交する方向におけるボックスベース本体４０１とカバー側連結部４５３との位置ずれを防止することができる。従って、封印状態の安定化を図ることができる。
【０１５９】
加えて、上記実施形態では、ボックスベース２６３ａ（ボックスベース本体４０１）に切除用スリット４２２が形成されているが、ボックスカバー２６３ｂに切除用スリット４２２を形成することしてもよい。この場合、切除用スリット４２２を基板ボックス２６３に収容された基板ボックス２６３の中心部から極力離れた位置に設けることができ、切除用スリット４２２から線材等を侵入させ、主制御装置２６１（に搭載された電気部材のうち主要な電気部材）に接触を図るといった不正行為を抑制することができる。また、切除用スリット４２２を介してカバー側連結部４５３に接触を図り、係合部４２１との係合状態を解除してしまうといった事態を防止することができる。
【０１６０】
（ｂ）基板ボックス２６３を封印する封印手段の構成は特に限定されるものではなく、基板ボックス２６３を少なくとも二回封印することができ、かつ、一回目の封印状態を解除する際に、ボックスベース２６３ａ及びボックスカバー２６３ｂのうち少なくとも予め定められた一方に開封の痕跡を残さなければ、二回目の封印を行うことができない構成となっていればよい。
【０１６１】
以下、図１４に示す態様例について説明する。図１４（ａ）は一回目の封印状態にある基板ボックス２６３の連結部位を示す部分断面図であり、図１４（ｂ）は二回目の封印状態にある基板ボックス２６３の連結部位を示す部分断面図である。
【０１６２】
図１４に示すボックスベース２６３ａは、開口部４０２の周縁部において、開口部４０２の内外周方向に貫通する連結孔８０１と、当該連結孔８０１よりも主制御装置２６１の挿通方向奥側（図１４の左側）においてボックスベース２６３ａの内側面に形成された係合凹部８０２と、連結孔８０１と係合凹部８０２との間に形成された切除用スリット８０３とを有している。
【０１６３】
また、ボックスカバー２６３ｂは、基板ボックス２６３の組付け状態においてボックスベース２６３ａの内周側に位置することとなるカバー側開口部４５２の周縁部においてボックスカバー２６３ｂの外側面に形成された連結凹部８１１と、連結凹部８１１よりも主制御装置２６１の挿通方向手前側（図１４の右側）において、ボックスカバー２６３ｂの外方に突出する係合突起８１２と、連結凹部８１１と係合突起８１２との間に形成された切除用スリット８１３とを有している。
【０１６４】
連結孔８０１、係合凹部８０２、連結凹部８１１、及び係合突起８１２は、開口部４０２及びカバー側開口部４５２の周方向に沿って、コーナー部を除く部位に形成されている。また、ボックスベース２６３ａ及びボックスカバー２６３ｂにそれぞれ形成される切除用スリット８０３、８１３は、開口部４０２及びカバー側開口部４５２の周方向に沿って所定間隔毎に複数形成されている。
【０１６５】
一回目の封印に際しては、連結孔８０１と連結凹部８１１とを位置合わせし、連結孔８０１及び連結凹部８１１に光硬化性樹脂を充填し、硬化させ、連結孔８０１と連結凹部８１１とにかけて硬化性樹脂層８２１を形成することで、ボックスベース２６３ａとボックスカバー２６３ｂとを連結する。
【０１６６】
当該封印の解除に際しては、ボックスベース２６３ａ及びボックスカバー２６３ｂにそれぞれ形成された切除用スリット８０３、８１３に沿ってボックスベース２６３ａ及びボックスカバー２６３ｂを破断し、ボックスベース２６３ａ及びボックスカバー２６３ｂのうち連結孔８０１及び連結凹部８１１が形成された部位を基板ボックス２６３から除去する。これにより、基板ボックス２６３が開封される。二回目の封印に際しては、係合凹部８０２と係合突起８１２とを係合状態とすることで、ボックスベース２６３ａとボックスカバー２６３ｂとを連結する。
【０１６７】
以上のような構成を採用する場合でも、基本的に上記実施形態と同様の作用効果が奏される。但し、当該構成を採用する場合、一回目の封印状態のときと、二回目の封印状態のときとで、基板ボックス２６３の横幅が比較的大きく変化することとなる。このため、一回目の封印が解除されたことを把握し易くなる一方で、二回目の封印に際して基板ボックス２６３が小さくなることを見込んで、基板ボックス２６３を予め大きく成形しておく必要が生じる。これに対し、上記実施形態では、当該（ｂ）の構成に比べ、基板ボックス２６３の横幅の変化が比較的小さいため、かかる事態を防止することができる。
【０１６８】
（ｃ）上記実施形態では、ボックスベース２６３ａからベース側連結部４０３が除去されることで、ベース側連結部４０３とカバー側連結部４５３との係合状態が解除されるとともに、再度基板ボックス２６３を封印することができる構成となっているが、カバー側連結部４５３がボックスカバー２６３ｂから除去されることで、ベース側連結部４０３とカバー側連結部４５３との係合状態が解除されるとともに、再度基板ボックス２６３を封印することができる構成としてもよい。
【０１６９】
以下、図１５に示す態様例について説明する。図１５（ａ）はボックスベース２６３ａの背面図であり、図１５（ｂ）はボックスカバー２６３ｂの背面図であり、図１５（ｃ）は一回目の封印状態における基板ボックス２６３の部分断面図であり、図１５（ｄ）は二回目の封印状態における基板ボックス２６３の部分断面図である。
【０１７０】
図１５に示す基板ボックス２６３は、主制御装置２６１の裏面（前面）及び周縁部を覆うボックスベース２６３ａと、ボックスベース２６３ａの開口部を覆うボックスカバー２６３ｂとを備え、ボックスベース２６３ａとボックスカバー２６３ｂとが前後に重ねられて組み付けられる構成となっている。また、ボックスベース２６３ａのうち開口部４０２の周縁部（周壁部９０１）、及び、ボックスカバー２６３ｂのうちボックスベース２６３ａの開口部４０２の周縁部位に突き合わされる突合せ部位はそれぞれ対称形状に構成されており、ボックスベース２６３ａに対してボックスカバー２６３ｂを上下反転させたとしても、ボックスベース２６３ａのうち開口部４０２周縁部位と、ボックスカバー２６３ｂの突合せ部とが合致する（隙間なく組み付けられる）ようになっている。
【０１７１】
図１５（ａ）に示すように、ボックスベース２６３ａは、主制御装置２６１の周縁部を囲う枠状の周壁部９０１から周壁部９０１の内周側に突出する左右一対の取付片９０３を備えている。左右一対の取付片９０３はボックスベース２６３ａの中央部を中心として非対称位置に設けられ、本例では、左側の取付片９０３は、周壁部９０１のうちパチンコ機１０の背面視左側の壁部と上側の壁部とのコーナー部に設けられ、右側の取付片９０３は、周壁部９０１のうちパチンコ機１０の背面視右側の壁部の上下方向中間位置に設けられている。また、取付片９０３には、前後に貫通する係止孔９０４が形成された、後述する係止部９１３を挿通可能となっている。
【０１７２】
さらに、図１５（ｃ）、（ｄ）に示すように、ボックスベース２６３ａの周壁部９０１の外面には、周方向に沿って延びる溝部９０５が形成されている。
【０１７３】
また、ボックスベース２６３ａに収容された主制御装置２６１の背面には、主制御装置２６１の上辺部に沿って受側コネクタ２６５が設けられている（図１５（ａ）参照）。
【０１７４】
図１５（ｂ）、（ｄ）に示すように、ボックスカバー２６３ｂは、主制御装置２６１の背面を覆う後壁部９１１と、後壁部９１１の周縁部から前方に突出する枠状の延出壁部９１２とを備えている。尚、後壁部９１１には、製造番号等の識別情報が刻印されている。
【０１７５】
また、ボックスカバー２６３ｂには、後壁部９１１から前方に突出する左右一対の係止部９１３が設けられている。図１５（ｄ）に示すように、各係止部９１３は一対の係止片部９１４と、当該一対の係止片部９１４の各先端部から互いに反対向きに突出する係止爪部９１５とを備えている。また、図１５（ｂ）に示すように、左右一対の係止部９１３はボックスカバー２６３ｂの中央部を中心として非対称位置に設けられ、本例では、左側の係止部９１３は、後壁部９１１のうちパチンコ機１０の背面視左側の上下方向中間位置に設けられ、右側の係止部９１３は、後壁部４０４のうちパチンコ機１０の背面視右下のコーナー部に設けられている。加えて、ボックスカバー２６３ｂの後壁部９１１には、各係止部９１３を囲むようにして複数の切除用スリット９１７が形成されている。
【０１７６】
また、ボックスカバー２６３ｂの延出壁部９１２は、ボックスカバー２６３ｂの周壁部９０１よりも一回り大きく構成され、基板ボックス２６３の組付け状態において、周壁部９０１の外側面と、延出壁部９１２の内側面とが略当接するように構成されている（図１５（ｃ）参照）。
【０１７７】
さらに、図１５（ｃ）に示すように、延出壁部９１２の先端部には、ボックスベース２６３ａの溝部９０５に嵌入する連結部９２１が一体的に設けられている。連結部９２１は上記実施形態のベース側連結部４０３と同様の構成を備えており、凹部４３４を有する係止部材４３１と、凹部４３４に光硬化性樹脂が充填、硬化されることで形成され、係止部材４３１と延出壁部９１２とを連結する硬化性樹脂層４３２とを備えている。
【０１７８】
さらに、図１５（ｂ）に示すように、ボックスカバー２６３ｂの後壁部９１１の上部と下部には、受側コネクタ２６５を挿通可能な第１コネクタ開口部９３１及び第２コネクタ開口部９３２が形成されている。第１コネクタ開口部９３１及び第２コネクタ開口部９３２は、同じ開口形状をなし、ボックスカバー２６３ｂ（後壁部９１１）の中央部を中心とする対称位置に設けられている。また、ボックスカバー２６３ｂには、第２コネクタ開口部９３２を閉塞する閉塞パネル９３５が設けられている。当該閉塞パネル９３５の両側部には前後に貫通する取付孔９３６が形成されている。これに対し、後壁部９１１の前面には、第２コネクタ開口部９３２の両側方において、ねじ穴を有するパネル取付部としてのボス９３７が設けられており、ボス９３７と取付孔９３６とが位置合わせされ、ねじ固定されている。尚、ボス９３７は、第１コネクタ開口部９３１の両側方にも形成されている。
【０１７９】
一回目の封印に際しては、溝部９０５に係止部材４３１を嵌め込んだ後、ボックスベース２６３ａとボックスカバー２６３ｂとを前後に重ね合わせ、延出壁部９１２の先端部と、溝部９０５から外方に突出した係止部材４３１とを当接状態とする。その後、係止部材４３１の凹部４３４に光硬化性樹脂を充填して硬化し、係止部材４３１と延出壁部９１２とにかけて硬化性樹脂層４３２を形成する。これにより、延出壁部９１２に接続成形された係止部材４３１と、溝部９０５とが係合し、ボックスベース２６３ａとボックスカバー２６３ｂとが連結される（基板ボックス２６３が封印状態とされる）。
【０１８０】
尚、かかる状態においては、ボックスベース２６３ａとボックスカバー２６３ｂとの組付け方向において、各係止部９１３の位置と取付片９０３（係止孔９０４）の位置とが一致しておらず、係止部９１３と取付片９０３とが係止状態となることはない。
【０１８１】
当該封印の解除に際しては、硬化性樹脂層４３２を破断して連結部９２１をボックスカバー２６３ｂから除去する。これにより、基板ボックス２６３が開封される。
【０１８２】
二回目の封印に際しては、まず、第２コネクタ開口部９３２を閉塞していた閉塞パネル９３５を取外し、当該閉塞パネル９３５を第１コネクタ開口部９３１に対応して取付ける。その後、前後方向を回転軸方向として、ボックスカバー２６３ｂを一回目の封印状態にあるときの姿勢から１８０度回転させる（上下反転させる）。これにより、ボックスベース２６３ａとボックスカバー２６３ｂとの組付け方向において、各係止部９１３の位置と取付片９０３の位置とが一致し、ボックスベース２６３ａとボックスカバー２６３ｂとを組付けて圧接することにより、係止部９１３が取付片９０３に係止される（係止片部９１４が係止孔９０４に挿通状態とされ、係止爪部９１５が取付片９０３の前面に係止される）。これにより、ボックスベース２６３ａとボックスカバー２６３ｂとが連結される（基板ボックス２６３が封印状態とされる）。
【０１８３】
尚、係止部９１３と取付片９０３との係止状態において、切除用スリット９１７に沿ってボックスカバー２６３ｂを破断することで、係止部９１３がボックスカバー２６３ｂから除去され、基板ボックス２６３を開封することができる。
【０１８４】
以上のような構成を採用する場合でも、基本的に上記実施形態と同様の作用効果が奏される。また、当該構成を採用する場合、一回目の封印状態のときと、二回目の封印状態のときとで、ボックスベース２６３ａが上下反対向きとなるため、基板ボックス２６３の外観が大きく変化し、一回目の封印が解除されたことを把握し易くなる。さらに、二回目の封印を行う際に、ボックスベース２６３ａに対してボックスベース２６３ａの向きを反転させて組付けるだけなので、ボックスベース２６３ａ及びボックスカバー２６３ｂの相対位置が変化することに起因して、基板ボックス２６３の大きさが変化してしまうといった事態を回避することができる。このため、例えば、二回目の封印を行う際に基板ボックス２６３が小さくなることを見込んで、基板ボックス２６３を大きく形成しておくといった必要がなくなる。従って、基板ボックス２６３の大型化を防止することができ、基板ボックス２６３の大型化に起因して、パチンコ機１０の背面側において、基板ボックス２６３を設置するためのスペースを余分に必要としてしまうといった事態を防止することができる。
【０１８５】
また、ボックスカバー２６３ｂの後壁部９１１の上下に同形状の第１コネクタ開口部９３１及び第２コネクタ開口部９３２が対称位置に設けられているため、ボックスベース２６３ａに対してボックスカバー２６３ｂを上下反転させて取付けても、確実にコネクタ接続を行うことができる。また、使用していないコネクタ開口部９３１、９３２に関しては、閉塞パネル９３５により閉塞されるため、使用していないコネクタ開口部９３１、９３２を介して主制御装置２６１に対して不正な操作が行われてしまうといった事態を防止することができる。
【０１８６】
さらに、閉塞パネル９３５は、ボックスカバー２６３ｂの前面に取付けられることから、基板ボックス２６３を開封しない限り、閉塞パネル９３５を取外すことが不可能となっている。従って、破断ねじやワンウェイねじ等を使用しなくとも済み、構成の簡素化や、閉塞パネル９３５の付替えに際しての作業性の向上等を図ることができる上、閉塞パネル９３５を簡単に取外すことができる。また、二回目の封印に際しては、第２コネクタ開口部９３２に対応して取り付けられていた閉塞パネル９３５を取外し、当該閉塞パネル９３５を第１コネクタ開口部９３１に対応して取り付ければよいことから、二回目の封印を行う際に別途閉塞パネルを用意する必要がなく、作業性の向上等を図ることができる。
【０１８７】
（ｄ）上記実施形態では、光硬化性樹脂を用いて係止部材４３１とボックスベース本体４０１とを連結しているが、特にこのような構成に限定されるものではない、例えば、その他の樹脂により硬化性樹脂層４３２を形成してもよい。つまり、当初液状又はペースト状をなし、充填後、硬化する性質を有する樹脂であればよい。例えば、紫外線を照射することで硬化する紫外線硬化性樹脂や、基板ボックス２６３に悪影響を与えないものであれば、熱硬化性樹脂や熱可塑性樹脂を採用してもよい。
【０１８８】
尚、上記実施形態では言及しなかったが、「光硬化性樹脂」としては、例えば、エポキシ系、オキセタン系等が挙げられる。また、「紫外線硬化性樹脂」としては、硬化機構が紫外線にのみよるものに限られるものではなく、空気中の湿度による硬化、金属イオンによる嫌気性硬化、若干の加熱による硬化、硬化触媒による硬化などの複合硬化によるものであってもよい。加えて、熱硬化性樹脂としては、例えばフェノール樹脂、メラニン樹脂、ユリア樹脂等が挙げられる。熱可塑性樹脂としては、ポリエチレン、ポリプロピレン等のポリオレフィン、ポリエチレンテレフタレート等のポリエステル、ポリアミド、アクリル、ＡＢＳ等が挙げられる。
【０１８９】
また、係止部材４３１とボックスベース本体４０１との連結や、二回目の封印に際してのボックスベース本体４０１とボックスカバー２６３ｂとの連結に関し、螺着後に工具係合部（十字穴等）が形成された部位を除去することのできる破断ねじや、取外す方向に回すことのできないワンウェイねじを用いることとしてもよい。
【０１９０】
（ｅ）上記実施形態では、ベース側連結部４０３（係止部材４３１）とボックスベース本体４０１とが当初別体として構成され、ボックスベース本体４０１とボックスカバー２６３ｂとが位置合わせされた状態（係合部４２１とカバー側連結部４５３とが非係合状態で当接した状態）においてボックスベース本体４０１に対してベース側連結部４０３が接続成形される構成となっているが、特にこのような構成に限定されるものではない。例えば、ボックスベース２６３ｂの成形に際し、ボックスベース本体４０１及びベース側連結部４０３が同時に一体形成されることとしてもよいし、ボックスベース本体４０１の成形後、ボックスベース本体４０１とボックスカバー２６３ｂとを位置合わせする前に、ボックスベース本体４０１に対してベース側連結部４０３が接続成形されることとしてもよい。例えば、前者の構成を採用する場合、ボックスベース２６３ｂの成形時には、ベース側連結部４０３が開口部４０２の外周側に開くようにして形成しておき、ボックスベース本体４０１とボックスカバー２６３ｂとを位置合わせした後、ベース側連結部４０３が開口部４０２の内周側に向けて変形するように加工することが考えられる。但し、開封の痕跡が判りにくいように加工されてしまうといったおそれを抑制するとともに、ボックスベース２６３ａとボックスカバー２６３ｂとの組付けに際して各種不具合（例えば、連結部４０３、４５３の破損、組付け作業性の低下等）を招くことなく基板ボックス２６３を確実に組付けるといった観点からすると、上記実施形態のように、ボックスベース本体４０１とボックスカバー２６３ｂとが位置合わせされた状態においてボックスベース本体４０１とベース側連結部４０３とを連結することが望ましい。
【０１９１】
（ｆ）上記実施形態では、基板ボックス２６３に関し、全部で２回封印状態とすることができる構成となっているが、３回以上封印状態とすることのできる構成としてもよい。例えば、ボックスベース２６３ａに対し、切除用スリット４２２よりも図９（ａ）、図９（ｂ）の左側においてボックスベース２６３ａの内側に突出する係止爪を設け、被係合部４２１をボックスベース２６３ａから除去した後、当該係止爪に対して係合部４２１を係合させることで、基板ボックス２６３が封印される構成としてもよい。
【０１９２】
（ｇ）上記実施形態では特に言及しなかったが、ベース側連結部４０３の色（例えば、係止部材４３１を有色とするとともに、有色透明の光硬化性樹脂を使用する）と、ボックスベース本体４０１やボックスカバー２６３ｂの色（無色透明）とを異ならせることとしてもよい。この場合、ベース側連結部４０３が除去されたことを把握し易くなる。また、硬化性樹脂層４３２に着色を施すことにより、例えば、ベース側連結部４０３を除去して基板ボックス２６３を不正開封した後、光硬化性樹脂を用いて、除去したベース側連結部４０３を再度ボックスベース本体４０１に連結するといった不正行為が行われた場合に、硬化性樹脂層４３２のうち、ベース側連結部４０３を除去した後も係止部材４３１やボックスベース本体４０１に残された元の硬化性樹脂層４３２である部位と、不正行為に際して使用される光硬化性樹脂によって構成される部位とで色を一致させることが困難となり、不正行為を発見しやすくなる。
【０１９３】
（ｈ）上記実施形態において、係止部材４３１（の長手方向の所定部位）に対し、（係止部材４３１の長手方向と交差する方向に沿って延びる）スリットを形成し、ベース側連結部４０３をボックスベース本体４０１から除去する際に、スリットにおいて係止部材４３１が破断される構成としてもよい。この場合、ベース側連結部４０３を破断して基板ボックス２６３を開封すると係止部材４３１が破断されるため、例えば、ベース側連結部４０３を除去して基板ボックス２６３を不正開封した後、光硬化性樹脂を用いて、除去したベース側連結部４０３を再度ボックスベース本体４０１に連結するといった不正行為を抑止することができる。
【０１９４】
（ｉ）上記実施形態において、係止部材４３１の凹部４３４とボックスベース本体４０１の充填部４２３とにかけて硬化性樹脂層４３２に埋設される埋設部材を設置することとしてもよい。当該構成を採用する場合、ベース側連結部４０３を一旦除去して基板ボックス２６３を開封した後、再度光硬化性樹脂を用いてベース側連結部４０３をボックスベース本体４０１に接続形成するといった不正行為が行われたとしても、埋設部材を確認することで、不正開封をより確実に把握することができる。尚、埋設部材は硬化性樹脂層４３２が破断されると同時に破断される程度の物性を有していることが望ましい。
【０１９５】
（ｊ）主制御装置２６１を収容する基板ボックス２６３のみならず、その他の制御装置を収容する基板ボックスに関しても、基板ボックス２６３と同様の構成を具備することとしてもよい。
【０１９６】
（ｋ）上記実施形態とは異なるタイプのパチンコ機として実施してもよい。また、パチンコ機以外にも、アレンジボール機、それに類する雀球等の各種遊技機、回胴式遊技機としてのスロットマシンや、スロットマシンとパチンコ機とを融合した形式の遊技機などとして実施してもよい。
【０１９７】
［付記］
上記実施形態から把握できる技術的思想について、以下に記載する。
【０１９８】
手段１．各種制御手段を具備する制御基板を収容するボックスベースと、
前記ボックスベースの開口部を覆うボックスカバーと、
前記ボックスベースと前記ボックスカバーとを連結し、前記基板ボックスに収容された制御基板を封印する第１封印手段と、
前記第１封印手段による封印状態が解除された後、再度、前記ボックスベースと前記ボックスカバーとを連結し、前記基板ボックスに収容された制御基板を封印するための第２封印手段とを具備する基板ボックスを備え、
前記第１封印手段は、前記ボックスベースに設けられたベース側連結部と、前記ボックスカバーに設けられ、前記ベース側連結部と連結されるカバー側連結部とを備え、前記ベース側連結部及び前記カバー側連結部のうち予め定められた一方を対応する前記ボックスベース又は前記ボックスカバーから除去し、他方を対応する前記ボックスベース又は前記ボックスカバーに残すことで、或いは、前記ベース側連結部及び前記カバー側連結部の両方を前記ボックスベース又は前記ボックスカバーから除去することで、前記第１封印手段による封印状態を解除可能、かつ、前記第２封印手段によって前記基板ボックスを封印可能となることを特徴とする遊技機。
【０１９９】
手段１によれば、第１封印手段による基板ボックスの封印状態（ベース側連結部とカバー側連結部との連結状態）を解除し、第２封印手段により基板ボックスを再度封印するためには、ベース側連結部及びカバー側連結部のうち少なくとも予め定められた一方をボックスベース又はボックスカバーから除去（破壊）する必要がある。このため、ベース側連結部及びカバー側連結部のうち少なくとも予め定められた一方が設けられたボックスベース又はボックスカバーに開封の痕跡が必ず形成されることとなる。従って、基板ボックスを２つ用意したとしても、開封の痕跡のない（無傷の）ボックスベース及びボックスカバーを得ることは不可能となる。その結果、取り替えたことが分からないように制御基板やＲＯＭ等の制御手段を不正に交換するといった行為を防止することができ、また万一不正開封が行われてもそのような事態を早期に且つ容易に発見可能とすることができる。
【０２００】
また、第２封印手段の存在により、遊技ホール等において、第１封印手段による基板ボックスの封印状態を解除し、基板ボックスから制御基板を取出して点検や交換を行った後、第２封印手段により基板ボックスを再度封印することができる。
【０２０１】
尚、「前記ベース側連結部及び前記カバー側連結部のうち予め定められた一方を対応する前記ボックスベース又は前記ボックスカバーに残し、他方を対応する前記ボックスベース又は前記ボックスカバーから除去した場合、前記第２封印手段によって前記基板ボックスを封印することが不可能となること」としてもよい。また、ボックスベース及びボックスカバーはそれぞれ１つの部材により構成されてもよいし、複数の部材により構成されてもよい。さらに、ベース側連結部及びカバー側連結部は、ボックスベース及びボックスカバーに対して（ボックスベース及びボックスカバーの一部を破壊しない限り）取外し不可能に設けられていればよく、ボックスベース及びボックスカバーと一体成形されてもよいし、ボックスベース及びボックスカバーとは別の部材として構成されてもよい。さらに、制御手段としては、制御プログラムや固定値データを記憶したＲＯＭ、ＲＯＭ内に記憶される制御プログラムの実行に際して各種のデータ等を一時的に記憶するメモリであるＲＡＭ、及び各種回路等を内蔵した１チップマイコンとしてのＣＰＵ等が挙げられる。
【０２０２】
手段２．前記第２封印手段は、前記ボックスベース及び前記ボックスカバーのうち一方側に設けられた係合部と、他方側に設けられ、前記係合部と係合可能な被係合部とを備え、前記係合部及び前記被係合部のうち少なくとも一方を、対応する前記ボックスベース又は前記ボックスカバーから除去することで、前記第２封印手段による封印状態を解除可能な構成であり、
前記基板ボックスが前記第１封印手段により封印された状態にあるときには、前記係合部及び前記被係合部は係合不可能な相対位置にあり、
前記ベース側連結部及び前記カバー側連結部のうち予め定められた一方又は両方が前記ボックスベース又は前記ボックスカバーから除去されることで前記第１封印手段による封印状態が解除された場合には、前記第１封印手段による封印状態にあるときとは異なる相対位置で前記ボックスベースと前記ボックスカバーとを組付けることにより、前記係合部及び前記被係合部が係合状態とされることを特徴とする手段１に記載の遊技機。
【０２０３】
手段２によれば、第２封印手段による封印は、第１封印手段による封印状態のときとは異なる相対位置でボックスベースとボックスカバーとを組付け、第１封印手段による封印状態のときには非係合状態にあった係合部と被係合部とを係合させることにより行われる。すなわち、第１封印手段による封印状態のときと、第２封印手段による封印状態のときとでボックスベースとボックスカバーとの相対位置が相違している。従って、第１封印手段による封印状態のときと、第２封印手段による封印状態のときとで、基板ボックスの外観が変化するため、第１封印手段による封印が解かれたことを比較的容易に把握することができる。
【０２０４】
さらに、第１封印手段による封印状態のときには、係合部と被係合部とが非係合状態であるため、第１封印手段による封印状態を解除する際には、係合部と被係合部との係合状態を解除する必要はなく、ベース側連結部及びカバー側連結部の少なくとも一方をボックスベース又はボックスカバーから除去するだけである。また、第２封印手段による封印を行う際には、第１封印手段による封印状態のときとは異なる相対位置でボックスベースとボックスカバーとを組付けるだけである。従って、第１封印手段による封印を解除し、再封印する際の作業性の向上を図ることができる。
【０２０５】
手段３．前記第１封印手段は、当該第１封印手段による前記基板ボックスの封印状態において、前記ボックスベースの開口部に沿って前記基板ボックスの外面側に露出して設けられ、
前記第２封印手段は、当該第２封印手段による前記基板ボックスの封印状態において、少なくとも前記係合部と前記被係合部との係合部位が前記基板ボックスの内側に収容されることを特徴とする手段１又は２に記載の遊技機。
【０２０６】
手段３によれば、第１封印手段が基板ボックスの外部に露出して設けられているため、第１封印手段による封印が解除されたときの痕跡を発見し易く、基板ボックスが開封されたことを容易に発見することができる。さらに、第１封印手段による封印状態を解除する作業（ベース側連結部、カバー側連結部の除去作業）を比較的容易に行うことができる。加えて、係合部及び被係合部に関しては、基板ボックス外部からの接触が非常に困難又は不可能となるため、比較的簡単な構成を採用しつつ、基板ボックスを第２封印手段によって確実に封印することができる。
【０２０７】
手段４．前記ボックスベースに形成され、制御基板を前記ボックスベースの内部に挿通させるための前記開口部は、前記ボックスベースに対して制御基板を当該制御基板の長手方向に沿って相対変位させた場合に当該制御基板の挿通を許容するとともに、前記ボックスベースに対して制御基板を当該制御基板の長手方向以外の方向に沿って相対変位させた場合には、当該制御基板の挿通が不可能となる程度の大きさを有し、
前記第１封印手段は前記ボックスベースの前記開口部を囲むようにして設けられていることを特徴とする手段１乃至３のいずれかに記載の遊技機。
【０２０８】
手段４によれば、ボックスベースの開口部の周長を短くすることができ、ひいては、開口部を囲むようにして設けられる第１封印手段の長さを短くすることができる。従って、第１封印手段による封印に際しての作業性の向上、及び、コストの削減等を図ることができる。また、開口部を囲むように第１封印手段を設けることにより、例えば、開口部の一辺部のみに第１封印手段を設ける場合に比べ、より堅固な封印を行うことができる。
【０２０９】
尚、「前記ボックスカバーは、前記ボックスベースの前記開口部を閉塞する蓋部と、制御基板を保持する保持部とを備え、前記ボックスカバーを前記ボックスベースから取外すことで、前記ボックスカバーの変位に伴い、前記保持部に保持された制御基板が前記ボックスベースから取り出されること」としてもよい。この場合、ボックスベースを遊技機本体へ取付けた状態のまま、ボックスカバーを取外して制御基板を取り出す際の作業性の向上を図ることができる。
【０２１０】
手段５．前記ベース側連結部及び前記カバー側連結部のうち前記予め定められた一方には、破断することによって、前記一方が、対応する前記ボックスベース又は前記ボックスカバーから離脱する破断部が設けられていることを特徴とする手段１乃至４のいずれかに記載の遊技機。
【０２１１】
手段５によれば、第１封印手段による封印状態を解除する際の作業性の向上を図ることができる。尚、破断部は、第１封印手段による基板ボックスの封印状態を解除する際に（基板ボックスを開封する際に）、工具を用いて切断したり、手で折り取ったりすることができるように、基板ボックスに予め形成される部位である。
【０２１２】
尚、前記ベース側連結部及び前記カバー側連結部のうち前記予め定められた一方にはつまみ部が設けられ、作業者がつまみ部を持って引っ張ることで前記破断部が破断され、前記一方が対応する前記ボックスベース又は前記ボックスカバーから別離することとしてもよい。また、基板ボックスは、当該基板ボックスに対して着脱可能に設けられ、第１封印手段による封印状態において、前記ベース側連結部及び前記カバー側連結部のうち前記予め定められた一方の変位を規制する規制手段を備えていることとしてもよい。この場合、前記予め定められた一方が意図することなく対応するボックスベース又はボックスカバーから離脱してしまうといった事態を防止することができる。
【０２１３】
手段６．前記ベース側連結部及び前記カバー側連結部のうち前記予め定められた一方は、当初、前記ボックスベース及び前記ボックスカバーとは別体として構成される係止部材を、前記ボックスベース及び前記ボックスカバーを位置合わせした状態で、対応する前記ボックスベース又は前記ボックスカバーに対して取外し不可能に連結することにより構成され、
前記ベース側連結部及び前記カバー側連結部のうち前記予め定められた一方が、対応する前記ボックスベース又は前記ボックスカバーに対して一体的に設けられた時点で、前記ベース側連結部と前記カバー側連結部とが連結状態とされることを特徴とする手段１乃至５のいずれかに記載の遊技機。
【０２１４】
例えば、ベース側連結部及びカバー側連結部がそれぞれボックスベース及びボックスカバーと一体成形される場合であって、ベース側連結部及びカバー側連結部の剛性が高く、可撓性がほとんどない場合には、製造誤差などが生じると、ボックスベースとボックスカバーとを組付けることが不可能となったり、組付けに際してベース側連結部やカバー側連結部が破損してしまったりするおそれがある。一方、ベース側連結部及びカバー側連結部を比較的軟質の素材により構成する場合には、ボックスベース及びボックスカバーの組付けは容易に行えるものの、ベース側連結部とカバー側連結部の連結状態（第１封印手段による封印状態）が脆弱なものとなってしまう（所定の痕跡を残すことなく簡単に開封されてしまう）おそれがある。
【０２１５】
これに対し、手段６によれば、ボックスベース及びボックスカバーとは当初別体として構成される係止部材を、ボックスベースとボックスカバーとを位置合わせした状態で、対応するボックスベース又はボックスカバーに連結することにより、ベース側連結部及びカバー側連結部のうち前記予め定められた一方が形成される構成となっている。従って、ボックスベースとボックスカバーとの組付けに際しての上記不具合を憂慮することなく、適切な素材によりベース側連結部及びカバー側連結部を構成し、ベース側連結部とカバー側連結部との連結状態を確実なものとすることができる。
【０２１６】
また、本手段のように、ボックスベース及びボックスカバーを位置合わせした状態で、係止部材をボックスベース又はボックスカバーに連結することによって第１封印手段による封印が行われる構成とすることで、第１封印手段による基板ボックスの封印を行う際に、第２封印手段による封印が行われてしまうといった事態を回避することができる。
【０２１７】
手段７．前記係止部材は、硬化性樹脂が硬化されることで形成された硬化性樹脂層により、対応する前記ボックスベース又は前記ボックスカバーと連結されていることを特徴とする手段６に記載の遊技機。
【０２１８】
手段７によれば、ボックスベース又はボックスカバーに対して比較的容易に係止部材を連結することができる。
【０２１９】
尚、硬化性樹脂層のうちボックスベース又はボックスカバーとの連結部位に関しては、係止部材に対してボックスベース又はボックスカバーから離脱させる方向に応力が作用した場合に破壊（破断）される程度の脆性を有していることとしてもよい。この場合、第１封印手段による封印状態を解除する際の作業性の向上を図ることができる。さらに、硬化性樹脂層は硬化性樹脂の充填量を変更することにより比較的容易に肉厚を変更することができる。従って、例えば、硬化性樹脂層を部分的に（係止部材とボックスベース又はボックスカバーとの連接部付近において）薄肉とし、基板ボックスを無理に開封した場合に、硬化性樹脂層の薄肉部が破断されて係止部材がボックスベース又はボックスカバーから離脱する構成とすることもできる。
【０２２０】
尚、硬化性樹脂とあるのは、当初液状又はペースト状をなし、充填後、硬化する性質を有する樹脂をいう。硬化性樹脂としては、
（１）光硬化性樹脂…レーザ光等の光を照射することで硬化する樹脂、
（２）紫外線硬化性樹脂…紫外線を照射することで硬化する樹脂、
（３）その他…基板ボックスに悪影響を与えないものであれば、熱硬化性樹脂や熱可塑性樹脂等が挙げられる。「光硬化性樹脂」としては、例えば、エポキシ系、オキセタン系等が挙げられる。「紫外線硬化性樹脂」としては、硬化機構が紫外線にのみよるものに限られるものではなく、空気中の湿度による硬化、金属イオンによる嫌気性硬化、若干の加熱による硬化、硬化触媒による硬化などの複合硬化によるものであってもよい。熱硬化性樹脂としては、例えばフェノール樹脂、メラニン樹脂、ユリア樹脂等が挙げられる。熱可塑性樹脂としては、ポリエチレン、ポリプロピレン等のポリオレフィン、ポリエチレンテレフタレート等のポリエステル、ポリアミド、アクリル、ＡＢＳ等が挙げられる。
【０２２１】
手段８．前記係止部材は有底状の凹部を有し、
前記硬化性樹脂層により前記係止部材が連結される前記ボックスベース又は前記ボックスカバーの前記係止部材との連接部位には段差部が形成され、
前記凹部及び前記段差部に硬化性樹脂が充填されて前記硬化性樹脂層が形成されることで、前記係止部材と、対応する前記ボックスベース又は前記ボックスカバーとが連結されていることを特徴とする手段７に記載の遊技機。
【０２２２】
手段８によれば、凹部に硬化性樹脂層が形成されることにより、係止部材と硬化性樹脂層とを確実に固着することができる。また、段差部に硬化性樹脂層が形成されることにより、ボックスベース又はボックスカバーと硬化性樹脂層とを確実に固着することができる。結果として、ボックスベース又はボックスカバーと係止部材とをより確実に連結することができる。
【０２２３】
手段９．前記ベース側連結部及び前記カバー側連結部のうち前記予め定められた一方が前記第１封印手段による封印状態を解除する際に前記ボックスベース又は前記ボックスカバーから除去されるとともに、他方が前記ボックスベース又は前記ボックスカバーに残される構成であって、
前記係合部及び前記被係合部のうち一方は、前記ベース側連結部及び前記カバー側連結部のうち、前記第１封印手段による封印状態が解除された後も前記ボックスベース又は前記ボックスカバーに残される前記他方により構成されていることを特徴とする手段１乃至８のいずれかに記載の遊技機。
【０２２４】
手段９によれば、第１封印手段及び第２封印手段の一部を共通化することにより、構成の簡素化を図ることができる。
【０２２５】
手段１０．前記ボックスベース又は前記ボックスカバーには、制御基板に搭載された受側コネクタに対して差込側コネクタを接続するためのコネクタ開口部が形成され、
前記コネクタ開口部に対応して、前記差込側コネクタを挿通可能な接続孔部を有するパネル部材がスライド可能に設けられるとともに、
前記第１封印手段及び前記第２封印手段による封印状態のときの前記パネル部材の変位を規制する変位規制手段が設けられていることを特徴とする手段１乃至９のいずれかに記載の遊技機。
【０２２６】
手段１０によれば、第１封印手段による封印状態のときと、第２封印手段による封印状態のときとで、制御基板に搭載された受側コネクタとコネクタ開口部との相対位置がずれる場合であっても、パネル部材をスライドさせることで、かかる変化を許容することができる。従って、確実にコネクタ接続を行うことができる。また、受側コネクタとコネクタ開口部（接続孔部）の周縁部との間に隙間が生じてしまうといった事態を防止することができる。特に、本手段では、各封印状態においてパネル部材の変位を規制する変位規制手段が設けられていることにより、例えば、受側コネクタから差込側コネクタを取外し、パネル部材をスライドさせることで、受側コネクタと接続孔部の周縁部との間に隙間が形成されてしまうといった事態を防止することができる。従って、コネクタ開口部（接続孔部）を介して制御基板への接触が図られてしまうといった事態を防止することができる。
【０２２７】
手段１１．前記ボックスベースのうち前記開口部の周縁部、及び、前記ボックスカバーのうち前記ボックスベースの前記開口部の周縁部に突き合わされる突合せ部位はそれぞれ前記ボックスベース及び前記ボックスカバーの中央部を中心として対称形状に構成され、
前記第１封印手段による封印状態においては、前記ボックスベースと前記ボックスカバーとの組付け方向において前記係合部と前記被係合部との位置が一致せず、前記係合部と前記被係合部とが非係合状態にあり、
前記第２封印手段による封印を行う際に、前記ボックスベースに対し、前記ボックスカバーを前記第１封印手段による前記基板ボックスの封印状態にあるときの姿勢から反転させた姿勢で組付けることで、前記係合部と前記被係合部とが前記ボックスベースと前記ボックスカバーとの組付け方向において位置合わせされ、前記係合部と前記被係合部とが係合状態とされることを特徴とする手段１乃至８のいずれかに記載の遊技機。
【０２２８】
手段１１によれば、第１封印手段による封印状態にあるときと、第２封印手段による封印状態にあるときとで、基板ボックスの外観が著しく変化する。このため、第１封印手段による封印が解除されたことをより容易に発見することができる。また、本手段では、第２封印手段による封印を行う際に、ボックスベースに対してボックスベースの向きを反転させて組付けるだけなので、ボックスベース及びボックスカバーの相対位置が変化することに起因して、基板ボックスの大きさが変化してしまうといった事態を回避することができる。このため、例えば、第２封印手段による封印を行う際に基板ボックスが小さくなることを見込んで、基板ボックスを大きく形成しておくといった必要がなくなる。従って、基板ボックスの大型化を防止することができ、基板ボックスの大型化に起因して、遊技機の背面側において、基板ボックスを設置するためのスペースを余分に必要としてしまうといった事態を防止することができる。
【０２２９】
尚、「前記係合部及び前記被係合部はそれぞれ複数設けられるとともに、前記ボックスベース及び前記ボックスカバーに対してそれぞれ非対称位置に設置され」ることとしてもよい。このように係合部及び被係合部を複数ずつ設けることで、第２封印手段による封印状態の安定化を図ることができる。
【０２３０】
手段１２．前記ボックスベースと前記ボックスカバーとが前後に重ねられることで前記基板ボックスが組み付けられるとともに、前記ボックスカバーに対して、制御基板に設けられた受側コネクタに差込側コネクタを接続するためのコネクタ開口部が形成される構成であって、
前記コネクタ開口部は、前記第１封印手段による前記基板ボックスの封印状態にあるときに使用される第１コネクタ開口部と、前記第２封印手段による前記基板ボックスの封印状態にあるときに使用される第２コネクタ開口部とを備え、
前記第１コネクタ開口部及び前記第２コネクタ開口部は、同形状をなして対称位置に設けられ、
前記ボックスカバーのうち前記ボックスベースと対向する側の面には、前記第１コネクタ開口部及び前記第２コネクタ開口部に対応して、使用していない前記コネクタ開口部を閉塞可能な閉塞パネルを取付けるためのパネル取付部が設けられていることを特徴とする手段１１に記載の遊技機。
【０２３１】
手段１２によれば、ボックスカバーに同形状の第１コネクタ開口部及び第２コネクタ開口部が対称位置に形成されているため、ボックスベースに対してボックスカバーを反転させて取付けても、確実にコネクタ接続を行うことができる。また、使用していないコネクタ開口部に関しては、閉塞パネルにより閉塞されるため、使用していないコネクタ開口部を介して制御基板に対して不正な操作が行われてしまうといった事態を防止することができる。
【０２３２】
また、閉塞パネルは、ボックスカバーのうちボックスベースと対向する側の面に取付けられていることから、基板ボックスを開封しない限り、閉塞パネルを取外すことが不可能となる。従って、破断ねじやワンウェイねじ等を使用しなくとも済み、構成の簡素化を図ることができる上、閉塞パネルを簡単に取外すことができる。
【０２３３】
さらに、第２封印手段による封印を行う際には、第１コネクタ開口部に対応して取り付けられていた閉塞パネルを取外し、当該閉塞パネルを第２コネクタ開口部に対応して取り付ければよいことから、第２封印手段による封印を行う際に別途閉塞パネルを用意する必要がなく、作業性の向上等を図ることができる。
【０２３４】
手段１３．前記基板ボックスは、前記ボックスベースと前記ボックスカバーとの位置決めを行う位置決め手段を備えていることを特徴とする手段１乃至１２のいずれかに記載の遊技機。
【０２３５】
手段１３によれば、各封印手段による封印作業に際し、作業性の向上を図ることができる。
【０２３６】
以下に、上記各手段が適用される各種遊技機の基本構成を示す。
【０２３７】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０２３８】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０２３９】
Ｃ．上記各手段における前記遊技機、又は、上記各弾球遊技機は、パチンコ機又はパチンコ機に準ずる遊技機であること。
【０２４０】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【０２４１】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【図面の簡単な説明】
【０２４２】
【図１】一実施形態におけるパチンコ機を示す正面図である。
【図２】パチンコ機を示す斜視図である。
【図３】内枠及び前面枠セットを開放した状態を示す斜視図である。
【図４】内枠および遊技盤等の構成を示す正面図である。
【図５】パチンコ機の構成を示す背面図である。
【図６】内枠及び裏パックユニット等を開放した状態を示す斜視図である。
【図７】基板ボックスの斜視図である。
【図８】基板ボックスの分解斜視図である。
【図９】（ａ）、（ｂ）は基板ボックスの連結部位を示す断面図であり、（ｃ）はベース側連結部を示す部分斜視図である。
【図１０】基板ボックスの断面図である
【図１１】コネクタ開口部の周縁部を示す背面図である。
【図１２】パチンコ機の主な電気的構成を示すブロック図である。
【図１３】別の実施形態における基板ボックスの連結部位を示す部分断面図である。
【図１４】（ａ）は一回目の封印状態にある基板ボックスの連結部位を示す部分断面図であり、（ｂ）は二回目の封印状態にある基板ボックスの連結部位を示す部分断面図である。
【図１５】別の実施形態における基板ボックスを説明するための図であって、（ａ）はボックスベースの背面図であり、（ｂ）はボックスカバーの背面図であり、（ｃ）は一回目の封印状態における基板ボックスの部分断面図であり、（ｄ）は二回目の封印状態における基板ボックスの部分断面図である。
【符号の説明】
【０２４３】
１０…パチンコ機、２６１…制御基板としての主制御装置、２６３…基板ボックス、２６３ａ…ボックスベース、２６３ｂ…ボックスカバー、２６５…受側コネクタ、４０１…ボックスベース本体、４０２…開口部、４０３…ベース側連結部、４１１…コネクタ開口部、４１６…パネル部材、４１７…接続孔部、４２１…係合部、４２２…切除用スリット、４２３…充填部、４３１…係止部材、４３２…硬化性樹脂層、４３４…凹部、４５１…蓋部、４５２…カバー側開口部、４５３…カバー側連結部、４５５…保持部、４６４…収容部、４７１…支持板部。
【図１】
2010017232.tif 000003
【図２】
2010017232.tif 000004
【図３】
2010017232.tif 000005
【図４】
2010017232.tif 000006
【図５】
2010017232.tif 000007
【図６】
2010017232.tif 000008
【図７】
2010017232.tif 000009
【図８】
2010017232.tif 000010
【図９】
2010017232.tif 000011
【図１０】
2010017232.tif 000012
【図１１】
2010017232.tif 000013
【図１２】
2010017232.tif 000014
【図１３】
2010017232.tif 000015
【図１４】
2010017232.tif 000016
【図１５】
2010017232.tif 000017